(57)【要約】ＯＦＤＭＡシステムにおけるアップリンク伝送方法を提供する。本発明は、アップリンクでのパイロットオーバーヘッドを下げ、優れたチャンネル推定を保障できる基本ユニット及びパイロット構造に関するもので、ＯＦＤＭ（Ａ）システムのパイロットオーバーヘッドを減らすことによってシステム性能を向上させることができ、時間／周波数間隔を一定間隔に維持してチャンネル推定の性能を保障することができ、ＩＥＥＥ  ８０２．１６ｍ及びこれと互換性を有する基地局、端末などの装置に適用されることができる。この伝送方法は、基本ユニットが周波数軸で４個の副搬送波単位及び時間軸で６以上のＯＦＤＭＡシンボル単位で構成される場合、基本ユニットで周波数軸の異なる位置に４個のパイロットＲＥを配置し、基本ユニットの残りの位置にデータＲＥを配置し、基本ユニットを受信端に送信する過程を含む。【選択図】図８Ｂ
2011511527.tif 000002
【特許請求の範囲】
【請求項１】
直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；  ＯＦＤＭＡ）無線通信システムにおいて移動局（ｍｏｂｉｌｅ  ｓｔａｔｉｏｎ；  ＭＳ）が基本ユニットをアップリンク伝送する方法であって、
複数のパイロットリソース要素及びデータリソース要素（ｒｅｓｏｕｒｃｅ  ｅｌｅｍｅｎｔ；  ＲＥ）を含み、大きさが４副搬送波×６  ＯＦＤＭＡシンボルである基本ユニットを形成する段階と、
周波数軸上における間隔が３副搬送波及び時間軸上における間隔が１または４  ＯＦＤＭＡシンボルとなるように、単一アンテナに対するパイロットＲＥを前記基本ユニット内に設定する段階と、
前記基本ユニットをアップリンクで伝送する段階と、
を含み、
前記ＲＥは、一つのＯＦＤＭＡシンボル及び一つの副搬送波により定義される時間−周波数リソースであり、
前記基本ユニットにはパイロットＲＥ及びデータＲＥが下記のパターンテーブル１のように設定される、アップリンク伝送方法：
【数１】
2011511527.tif 000063
ここで、“Ｐ”は、パイロットＲＥを表し、“−”は、データＲＥを表し、“ｓ”は、ＯＦＤＭＡシンボルインデックスを表し、“ＳＣ”は、副搬送波インデックスを表す。
【請求項２】
前記基本ユニットは、アップリンクタイル（ｕｐｌｉｎｋ  ｔｉｌｅ）であることを特徴とする、請求項１に記載のアップリンク伝送方法。
【請求項３】
前記基本ユニットは、アップリンクＰＵＳＣ（ｐａｒｔｉａｌ  ｕｓａｇｅ  ｏｆ  ｓｕｂｃｈａｎｎｅｌ）タイルであることを特徴とする、請求項１に記載のアップリンク伝送方法。
【請求項４】
所定個数の前記基本ユニットが、より大きいリソースユニットを形成することを特徴とする、請求項１に記載のアップリンク伝送方法。
【請求項５】
前記より大きいリソースユニットを形成する前記基本ユニットは、周波数領域で隣接していることを特徴とする、請求項４に記載のアップリンク伝送方法。
【請求項６】
前記より大きいリソースユニットを形成する前記基本ユニットは、周波数領域で分散されていることを特徴とする、請求項４に記載のアップリンク伝送方法。
【請求項７】
パイロットＲＥの位置は、周波数領域または時間領域で循環遷移（ｃｙｃｌｉｃａｌｌｙ  ｓｈｉｆｔｅｄ）されることを特徴とする、請求項１に記載のアップリンク伝送方法。
【請求項８】
前記パイロットＲＥの電力は、同一のＯＦＤＭＡシンボル内にあるデータＲＥの電力を用いてブースティングされることを特徴とする、請求項１に記載のアップリンク伝送方法。
【請求項９】
パイロットシンボル及びデータシンボルを、該当するパイロットＲＥ及びデータＲＥにそれぞれマッピングする段階をさらに含むことを特徴とする、請求項１に記載のアップリンク伝送方法。
【請求項１０】
前記パイロットＲＥは、専用パイロットのために用いられることを特徴とする、請求項１に記載のアップリンク伝送方法。
【発明の詳細な説明】
【技術分野】
【０００１】
本発明は、無線通信システムに係り、特に、ＯＦＤＭ（Ａ）無線通信システムにおけるアップリンク伝送方法に関するものである。
【背景技術】
【０００２】
現在のＩＥＥＥ  ８０２．１６ｅシステムには、アップリンクＰＵＳＣ（Ｐａｒｔｉａｌ  Ｕｓａｇｅ  ｏｆ  ＳｕｂＣｈａｎｎｅｌ）構造として図１のようなタイル及びパイロット構造が含まれる。図１は、１個の送信アンテナを考慮する場合である。このようなアップリンクＰＵＳＣ基本ユニット（Ｂａｓｉｃ  Ｕｎｉｔ）構造は、３３．３３％のパイロットオーバーヘッドを有する。図１で、パイロット及びデータ搬送波は、それぞれ、パイロット及びデータが割り当てられるリソース要素（ＲＥ）を指す。それぞれのＲＥは、一つのＯＦＤＭ（Ａ）シンボル及び一つの副搬送波により定義される時間−周波数リソースを表す。本明細書で、“パイロット（副）搬送波”及び“データ（副）搬送波”はそれぞれ、“パイロットＲＥ”及び“データＲＥ”と混用されることもある。
【０００３】
現在のＩＥＥＥ  ８０２．１６ｅシステムで用いられるアップリンクタイル構造は、一つの送信アンテナのみを考慮して一つの送信アンテナの場合に３３．３３％のパイロットオーバーヘッドを有する。したがって、データ対比パイロットのオーバーヘッドは相当大きい。このようなパイロットオーバーヘッドは、リンクスループット（ｌｉｎｋ  ｔｈｒｏｕｇｈｐｕｔ）を減少させ、システムの性能低下を招く。特に、ＩＥＥＥ  ８０２．１６ｍのように基本ユニットが拡張される場合には、パイロットのオーバーヘッドを減らすことが問題となる。
【発明の概要】
【発明が解決しようとする課題】
【０００４】
本発明が達成しようとする技術的課題は、アップリンクのための基本ユニットが時間軸に拡張される場合にもパイロットオーバーヘッドを減らし、チャンネル推定性能を保障できるアップリンク伝送方法を提供することにある。
【０００５】
本発明が達成しようとする他の課題は、ＩＥＥＥ  ８０２．１６ｅシステムに対して下位互換性（ｂａｃｋｗａｒｄ  ｃｏｍｐａｔｉｂｉｌｉｔｙ）を保障するアップリンク伝送方法を提供することにある。
【０００６】
本発明が達成しようとする技術的課題は、上記の課題に制限されず、言及しない他の技術的課題は、下の記載から、本発明の属する技術分野における通常の知識を有するた者には明確に理解される。
【課題を解決するための手段】
【０００７】
レガシー（ｌｅｇａｃｙ）ＩＥＥＥ  ８０２．１６ｅシステムで、アップリンクＰＵＳＣタイルは、４個の隣接した副搬送波×３個の隣接したＯＦＤＭ（Ａ）シンボルを含む。レガシー（ｌｅｇａｃｙ）ＩＥＥＥ  ８０２．１６ｅシステムは、アップリンクＰＵＳＣタイルを物理的副搬送波にマッピングする過程でパーミュテーション（ｐｅｒｍｕｔａｔｉｏｎ）を適用することで、アップリンクＰＵＳＣタイルを該当の周波数バンド内に分散させる。具体的に、前記パーミュテーション方法は、３個のＯＦＤＭ（Ａ）シンボルごとに論理的に同じタイルインデックスを持たさせることによって、アップリンクＰＵＳＣが該当の周波数バンド内でスプレッド（ｓｐｒｅａｄ）されるようにする。
【０００８】
このようなパーミュテーション方法は、拡張されたタイル構造に適用するために容易に変形されることができる。一例として、前記パーミュテーション方法は、時間ドメインで隣接し、同一の物理周波数バンド内にある３の倍数に該当するＯＦＤＭ（Ａ）シンボル（例えば、６、９または１２  ＯＦＤＭ（Ａ）シンボル）が論理的に同一のタイルインデックスを有するように変形されることができる。このように、レガシーＩＥＥＥ  ８０２．１６ｅシステムのパーミュテーション方法は、無線リソースを３の倍数のＯＦＤＭ（Ａ）シンボル単位で分散するように拡張されることができる。したがって、議論中のＩＥＥＥ  ８０２．１６ｍシステムがレガシーＩＥＥＥ  ８０２．１６ｅシステムを周波数分割多重化（ＦＤＭ）方式で支援する場合では、アップリンクタイルを４個の副搬送波×３の倍数のＯＦＤＭ（Ａ）シンボル単位で構成することが好ましい。
【０００９】
議論中のＩＥＥＥ  ８０２．１６ｍシステムで、基本フレーム構造は、５ＭＨｚ、８．７５ＭＨｚ、１０ＭＨｚまたは２０ＭＨｚ帯域幅を支援する２０ｍｓスーパーフレームを含む。それぞれのスーパーフレームは、同じ大きさを有する４個の５ｍｓ無線フレームに分けられ、スーパーフレームヘッダー（ｓｕｐｅｒ  ｆｒａｍｅ  ｈｅａｄｅｒ；  ＳＦＨ）から始まる。それぞれの５ｍｓ無線フレームは、８個のサブフレームを含む。サブフレームは、ＤＬまたはＵＬ伝送に割り当てられる。サイクリックプレフィックス（ｃｙｃｌｉｃ  ｐｒｅｆｉｘ）のタイプによって３タイプのサブフレームが存在する（すなわち、５、６または７  ＯＦＤＭ（Ａ）シンボルで構成されたサブフレーム）。基本フレーム構造は、ＦＤＤ（ｆｒｅｑｕｅｎｃｙ  ｄｉｖｉｓｉｏｎ  ｄｕｐｌｅｘ）及びＴＤＤ（ｔｉｍｅ  ｄｉｖｉｓｉｏｎ  ｄｕｐｌｅｘ）に適用される。
【００１０】
本発明の一様相として、基本ユニットのアップリンク伝送方法において、基本ユニットが４副搬送波×６以上のＯＦＤＭ（Ａ）シンボルで構成される場合、基本ユニットで周波数軸の異なる位置に４個のパイロットＲＥを配置し、基本ユニットの残りの位置にデータＲＥを配置し、基本ユニットを受信端に送信する段階を含む基本ユニットのアップリンク伝送方法が提供される。前記受信端は、基地局（ＢＳ）を含む。
【００１１】
好ましくは、パイロットＲＥを配置する過程で、４個のパイロットＲＥを１対ずつ時間軸の同一位置に配置することができる。
【００１２】
好ましくは、パイロットＲＥを配置する過程で、４個のパイロットＲＥのうち、２以上のパイロットＲＥを基本ユニットの端に配置することができる。
【００１３】
本発明の他の様相として、基本ユニットのアップリンク伝送方法において、基本ユニットが４副搬送波×６以上のＯＦＤＭ（Ａ）シンボルで構成される場合、基本ユニットで４個のパイロットＲＥを１対ずつ周波数軸の同一位置に配置し、基本ユニットの残りの位置にデータＲＥを配置し、基本ユニットを受信端に送信する段階を含む基本ユニットのアップリンク伝送方法が提供される。
【００１４】
好ましくは、パイロットＲＥを配置する過程で、４個のパイロットＲＥを時間軸の異なる位置に配置することができる。
【００１５】
好ましくは、パイロットＲＥを配置する過程で、４個のパイロットＲＥを１対ずつ時間軸の同一位置に配置することができる。
【００１６】
好ましくは、パイロットＲＥを配置する過程で、４個のパイロットＲＥのうち、２以上のパイロットＲＥを基本ユニットの縁部に配置することができる。
【００１７】
好ましくは、パイロットＲＥを配置する過程で、４個のパイロットＲＥのうち、２以上のパイロットＲＥを、基本ユニットの縁部以外の位置に配置することができる。
【００１８】
本発明のさらに他の様相として、基本ユニットのアップリンク伝送方法において、基本ユニットが４副搬送波×６以上のＯＦＤＭ（Ａ）シンボルで構成される場合、基本ユニットで時間軸の異なる位置に３個のパイロットＲＥを配置し、基本ユニットの残りの位置にデータＲＥを配置し、基本ユニットを受信端に送信する段階を含む基本ユニットのアップリンク伝送方法が提供される。
【００１９】
好ましくは、パイロットＲＥを配置する過程で、３個のパイロットＲＥのうち、１対のパイロットＲＥを周波数軸の同一位置に配置し、残りのパイロットＲＥを、前記１対のパイロットＲＥと異なる周波数軸の位置に配置することができる。
【００２０】
好ましくは、パイロットＲＥを配置する過程で、１対のパイロットＲＥ及び残りのパイロットＲＥを周波数軸で最大限に離隔される位置に配置できる。
【００２１】
本発明のさらに他の様相として、基本ユニットのアップリンク伝送方法において、基本ユニットが４副搬送波×９以上のＯＦＤＭ（Ａ）シンボルで構成される場合、基本ユニットの周波数軸で全位置を占有するように６個のパイロットＲＥを配置し、基本ユニットの残りの位置にデータＲＥを配置し、基本ユニットを受信端に送信する段階を含む基本ユニットのアップリンク伝送方法が提供される。
【００２２】
本発明のさらに他の様相として、基本ユニットのアップリンク伝送方法において、基本ユニットが４個の副搬送波×９以上のＯＦＤＭ（Ａ）シンボルで構成される場合、基本ユニットで周波数軸に両端に６個のパイロットＲＥを配置し、基本ユニットの残りの位置にデータＲＥを配置し、基本ユニットを受信端に送信する段階を含む基本ユニットのアップリンク伝送方法が提供される。
【００２３】
本発明のさらに他の様相として、基本ユニットのアップリンク伝送方法において、基本ユニットが４個の副搬送波×６個のＯＦＤＭ（Ａ）シンボルで構成される場合、基本ユニットで２個のパイロットＲＥを周波数軸及び時間軸で異なる位置に配置し、基本ユニットの残りの位置にデータＲＥを配置し、基本ユニットを受信端に送信する段階を含む基本ユニットのアップリンク伝送方法が提供される。
【００２４】
本発明のさらに他の様相として、基本ユニットのアップリンク伝送方法において、基本ユニットが４個の副搬送波×１２個のＯＦＤＭ（Ａ）シンボルで構成される場合、基本ユニットで４個のパイロットＲＥを周波数軸及び時間軸で異なる位置に配置し、基本ユニットの残りの位置にデータＲＥを配置し、基本ユニットを受信端に送信する段階を含む基本ユニットのアップリンク伝送方法が提供される。
【００２５】
本発明のさらに他の様相として、直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；  ＯＦＤＭＡ）無線通信システムで移動局（ｍｏｂｉｌｅ  ｓｔａｔｉｏｎ；  ＭＳ）が基本ユニットをアップリンク伝送する方法において、複数のパイロットリソース要素及びデータリソース要素（ｒｅｓｏｕｒｃｅ  ｅｌｅｍｅｎｔ；  ＲＥ）を含み、大きさが４副搬送波×６  ＯＦＤＭＡシンボルである基本ユニットを形成する段階と、周波数軸上における間隔が３副搬送波及び時間軸上における間隔が１または４  ＯＦＤＭＡシンボルとなるように単一アンテナに対するパイロットＲＥを前記基本ユニット内に設定する段階と、前記基本ユニットをアップリンクで伝送する段階と、を含み、前記ＲＥは、一つのＯＦＤＭＡシンボル及び一つの副搬送波により定義される時間−周波数リソースであり、前記基本ユニットには、パイロットＲＥ及びデータＲＥが、下記のパターンテーブル１のように設定されるアップリンク伝送方法が提供される：
【００２６】
【化１−１】
2011511527.tif 000003
ここで、“Ｐ”は、パイロットＲＥを表し、“−”は、データＲＥを表し、“ｓ”は、ＯＦＤＭＡシンボルインデックスを表し、“ＳＣ”は、副搬送波インデックスを表す。
【００２７】
他の例として、直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；  ＯＦＤＭＡ）無線通信システムで、移動局（ｍｏｂｉｌｅ  ｓｔａｔｉｏｎ；  ＭＳ）が、複数の基本ユニットを含むサブフレームをアップリンク伝送する方法において、複数のパイロットリソース要素及びデータリソース要素（ｒｅｓｏｕｒｃｅ  ｅｌｅｍｅｎｔ；  ＲＥ）を含み、大きさが４副搬送波×６  ＯＦＤＭＡシンボルであるそれぞれの基本ユニットを形成する段階と、周波数軸上における間隔が３副搬送波及び時間軸上における間隔が１または４ＯＦＤＭＡシンボルとなるように、単一アンテナに対するパイロットＲＥを前記それぞれの基本ユニット内に設定する段階と、前記サブフレームをアップリンクで伝送する段階と、を含み、前記ＲＥは、一つのＯＦＤＭＡシンボル及び一つの副搬送波により定義される時間−周波数リソースであり、前記基本ユニットにはパイロットＲＥ及びデータＲＥが下記パターンテーブル１のように設定されるアップリンク伝送方法が提供される：
【００２８】
【化１−２】
2011511527.tif 000004
ここで、“Ｐ”は、パイロットＲＥを表し、“−”は、データＲＥを表し、“ｓ”は、ＯＦＤＭＡシンボルインデックスを表し、“ＳＣ”は、副搬送波インデックスを表す。
【００２９】
サブフレームは、６  ＯＦＤＭ（Ａ）シンボルを含む。サイクリックプレフィックス（ｃｙｃｌｉｃ  ｐｒｅｆｉｘ）の大きさによってサブフレームが５または６  ＯＦＤＭ（Ａ）シンボルを含む場合に、前記パターンテーブル１は、チャンネル推定能力を維持する範囲で一つのＯＦＤＭ（Ａ）シンボルを加減することによって変形することができる。
【００３０】
前記基本ユニットは、アップリンクタイル（ｕｐｌｉｎｋ  ｔｉｌｅ）である。具体的に、前記基本ユニットは、アップリンクＰＵＳＣ（ｐａｒｔｉａｌ  ｕｓａｇｅ  ｏｆ  ｓｕｂｃｈａｎｎｅｌ）タイルでありうる。前記基本ユニットは、ＩＥＥＥ  ８０２．１６ｍのＤＲＵ（ｄｉｓｔｒｉｂｕｔｅｄ  ｒｅｓｏｕｒｃｅ  ｕｎｉｔ）でありうる。
【００３１】
所定個数の前記基本ユニットは、より大きいリソースユニットを形成することができる。前記所定個数は、６を含む。前記より大きいリソースユニットは、ＬＲＵ（ｌｏｃａｌｉｚｅｄ  ｒｅｓｏｕｒｃｅ  ｕｎｉｔ）またはＤＲＵでありうる。この場合、より大きいリソースユニットを形成する前記基本ユニットは、周波数領域で隣接することができる。また、より大きいリソースユニットを形成する前記基本ユニットは、周波数領域で分散することができる。
【００３２】
パイロットＲＥの位置は、周波数領域または時間領域で循環遷移（ｃｙｃｌｉｃａｌｌｙ  ｓｈｉｆｔｅｄ）することができる。
【００３３】
前記パイロットＲＥの電力は、同一のＯＦＤＭＡシンボル内にあるデータＲＥの電力を用いてブースティングすることができる。
【００３４】
前記方法は、パイロットシンボル及びデータシンボルをそれぞれ該当するパイロットＲＥ及びデータＲＥにマッピングする段階をさらに含むことができる。パイロットシンボル及びデータシンボルは、大きさ及び位相を表す複素数値の形態とすることができる。例えば、前記データシンボルは、変調されたデータに対する位相と大きさを表す複素数値を含むことができる。
【００３５】
前記パイロットＲＥは、専用パイロットのために用いることができる。
【００３６】
本発明のさらに他の様相として、直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；  ＯＦＤＭＡ）無線通信システムで移動局（ｍｏｂｉｌｅ  ｓｔａｔｉｏｎ；  ＭＳ）が基本ユニットをアップリンク伝送する方法において、複数のパイロットリソース要素及びデータリソース要素（ｒｅｓｏｕｒｃｅ  ｅｌｅｍｅｎｔ；ＲＥ）を含み、大きさが４副搬送波×６  ＯＦＤＭＡシンボルである基本ユニットを形成する段階と、周波数軸及び時間軸上における間隔がそれぞれ３副搬送波及び５  ＯＦＤＭＡシンボルとなるように、多重アンテナに対するパイロットＲＥを前記基本ユニット内に設定する段階と、前記基本ユニットをアップリンクで伝送する段階と、を含み、前記ＲＥは、一つのＯＦＤＭＡシンボル及び一つの副搬送波により定義される時間−周波数リソースであり、前記基本ユニットにはパイロットＲＥ及びデータＲＥが下記パターンテーブル２のように設定されるアップリンク伝送方法が提供される：
【００３７】
【化２−１】
2011511527.tif 000005
ここで、“Ｐ０”及び“Ｐ１”はそれぞれ、アンテナポート０及び１に対するパイロットＲＥを表し、“−”は、データＲＥを表し、“ｓ”は、ＯＦＤＭＡシンボルインデックスを表し、“ＳＣ”は、副搬送波インデックスを表す。
【００３８】
他の例として、直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；ＯＦＤＭＡ）無線通信システムで移動局（ｍｏｂｉｌｅ  ｓｔａｔｉｏｎ；  ＭＳ）が、複数の基本ユニットを含むサブフレームをアップリンク伝送する方法において、複数のパイロットリソース要素及びデータリソース要素（ｒｅｓｏｕｒｃｅ  ｅｌｅｍｅｎｔ；  ＲＥ）を含み、大きさが４副搬送波×６  ＯＦＤＭＡシンボルであるそれぞれの基本ユニットを形成する段階と、周波数軸及び時間軸上における間隔がそれぞれ３副搬送波及び５  ＯＦＤＭＡシンボルとなるように、多重アンテナに対するパイロットＲＥを前記それぞれの基本ユニット内に設定する段階と、前記サブフレームをアップリンクで伝送する段階と、を含み、前記ＲＥは、一つのＯＦＤＭＡシンボル及び一つの副搬送波により定義される時間−周波数リソースであり、前記基本ユニットにはパイロットＲＥ及びデータＲＥが下記パターンテーブル２のように設定されるアップリンク伝送方法が提供される：
【００３９】
【化２−２】
2011511527.tif 000006
ここで、“Ｐ０”及び“Ｐ１”はそれぞれ、アンテナポート０及び１に対するパイロットＲＥを表し、“−”は、データＲＥを表し、“ｓ”は、ＯＦＤＭＡシンボルインデックスを表し、“ＳＣ”は、副搬送波インデックスを表す。
【００４０】
サブフレームは、６  ＯＦＤＭ（Ａ）シンボルを含む。サイクリックプレフィックス（ｃｙｃｌｉｃ  ｐｒｅｆｉｘ）の大きさによってサブフレームが５または６  ＯＦＤＭ（Ａ）シンボルを含む場合に、前記パターンテーブル２は、チャンネル推定能力を維持する範囲で一つのＯＦＤＭ（Ａ）シンボルを加減することによって変形することができる。
【００４１】
前記基本ユニットは、アップリンクタイル（ｕｐｌｉｎｋ  ｔｉｌｅ）である。具体的に、前記基本ユニットは、アップリンクＰＵＳＣ（ｐａｒｔｉａｌ  ｕｓａｇｅ  ｏｆ  ｓｕｂｃｈａｎｎｅｌ）タイルでありうる。前記基本ユニットは、ＩＥＥＥ  ８０２．１６ｍのＤＲＵ（ｄｉｓｔｒｉｂｕｔｅｄ  ｒｅｓｏｕｒｃｅ  ｕｎｉｔ）でありうる。
【００４２】
所定個数の前記基本ユニットは、より大きいリソースユニットを形成することができる。前記所定個数は６を含む。前記より大きいリソースユニットは、ＬＲＵ（ｌｏｃａｌｉｚｅｄ  ｒｅｓｏｕｒｃｅ  ｕｎｉｔ）またはＤＲＵでありうる。この場合、より大きいリソースユニットを形成する前記基本ユニットは、周波数領域で隣接することができる。また、より大きいリソースユニットを形成する前記基本ユニットは、周波数領域で分散することができる。
【００４３】
前記アンテナポート０及び前記アンテナポート１は互いに置き換えられることができる。また、パイロットＲＥの位置は、周波数領域または時間領域で循環遷移（ｃｙｃｌｉｃａｌｌｙ  ｓｈｉｆｔｅｄ）されることができる。
【００４４】
前記パイロットＲＥの電力は、同一のＯＦＤＭＡシンボル内にあるデータＲＥの電力を用いてブースティングすることができる。
【００４５】
前記方法は、パイロットシンボル及びデータシンボルをそれぞれ、該当するパイロットＲＥ及びデータＲＥにマッピングする段階をさらに含むことができる。パイロットシンボル及びデータシンボルは、大きさ及び位相を表す複素数値の形態とすることができる。例えば、前記データシンボルは、変調されたデータに対する位相と大きさを表す複素数値を含むことができる。
【００４６】
前記パイロットＲＥは、専用パイロットのために用いることができる。
【００４７】
前記それぞれの基本ユニットには独立して伝送ダイバーシティ（ｔｒａｎｓｍｉｔ  ｄｉｖｅｒｓｉｔｙ）手法または空間多重化（ｓｐａｔｉａｌ  ｍｕｌｔｉｐｌｅｘｉｎｇ；  ＳＭ）を適用することができる。前記伝送ダイバーシティ手法は、ＳＴＢＣ（ｓｐａｃｅ  ｔｉｍｅ  ｂｌｏｃｋ  ｃｏｄｅ）、ＳＦＢＣ（ｓｐａｃｅ  ｆｒｅｑｕｅｎｃｙ  ｂｌｏｃｋ  ｃｏｄｅ）、ＣＤＤ（ｃｙｃｌｉｃ  ｄｅｌａｙ  ｄｉｖｅｒｓｉｔｙ）またはこれらの任意の組み合わせを含むことができる。
【００４８】
上記の本発明の様々な様相において、各段階の時間的順序は具現の問題である。したがって、特別に言及しない限り、本発明で例示した各段階は、製造業者によって様々な順序とすることができる。
【発明の効果】
【００４９】
本発明の実施例によれば、アップリンクの基本ユニットが時間軸で拡張される場合にも、ＯＦＤＭ（Ａ）システムのパイロットオーバーヘッドを減らすことができる。
【００５０】
また、前記基本ユニット内でパイロット副搬送波の時間間隔及び周波数間隔を一定間隔に維持したりチャンネル推定を容易にするために分散させたりることによって、チャンネル推定の性能を保障し、システム性能を向上させることができる。
【００５１】
また、レガシーアップリンクＰＵＳＣ（ＩＥＥＥ  ８０２．１６ｅ）に対する下位互換性を保障することができる。
【００５２】
本発明で得られる効果は上記の効果に制限されず、言及しない他の効果は、下の記載から、本発明の属する技術分野における通常の知識を有する者には明確に理解される。
【図面の簡単な説明】
【００５３】
【図１】従来のＩＥＥＥ  ８０２．１６ｅのタイル及びパイロット構造を示す図である。
【図２Ａ】本発明の一実施例によって基本ユニットが４副搬送波×３  ＯＦＤＭ（Ａ）シンボルで構成された場合に１Ｔｘまたは１ストリームパイロットを割り当てる例を示す。
【図２Ｂ】本発明の他の実施例によって基本ユニットが４副搬送波×６  ＯＦＤＭ（Ａ）シンボルに拡張された場合に２Ｔｘまたは２ストリーム、及び４Ｔｘまたは４ストリームパイロットを割り当てる例を示す。
【図２Ｃ】本発明の他の実施例によって基本ユニットが４副搬送波×６  ＯＦＤＭ（Ａ）シンボルに拡張された場合に２Ｔｘまたは２ストリーム、及び４Ｔｘまたは４ストリームパイロットを割り当てる例を示す。
【図３Ａ】本発明のさらに他の実施例によって基本ユニットが４副搬送波×３  ＯＦＤＭ（Ａ）シンボルで構成された場合に１Ｔｘまたは１ストリームパイロットを割り当てる例を示す。
【図３Ｂ】本発明のさらに他の実施例によって基本ユニットが４副搬送波×６  ＯＦＤＭ（Ａ）シンボルに拡張された場合に２Ｔｘまたは２ストリーム、及び４Ｔｘまたは４ストリームパイロットを割り当てる例を示す。
【図３Ｃ】本発明のさらに他の実施例によって基本ユニットが４副搬送波×６  ＯＦＤＭ（Ａ）シンボルに拡張された場合に２Ｔｘまたは２ストリーム、及び４Ｔｘまたは４ストリームパイロットを割り当てる例を示す。
【図４Ａ】本発明のさらに他の実施例によって基本ユニットが４副搬送波×３  ＯＦＤＭ（Ａ）シンボルで構成された場合に１Ｔｘまたは１ストリームパイロットを割り当てる例を示す。
【図４Ｂ】本発明のさらに他の実施例によって基本ユニットが４副搬送波×６  ＯＦＤＭ（Ａ）シンボルに拡張された場合に２Ｔｘまたは２ストリーム、及び４Ｔｘまたは４ストリームパイロットを割り当てる例を示す。
【図４Ｃ】本発明のさらに他の実施例によって基本ユニットが４副搬送波×６  ＯＦＤＭ（Ａ）シンボルに拡張された場合に２Ｔｘまたは２ストリーム、及び４Ｔｘまたは４ストリームパイロットを割り当てる例を示す。
【図５Ａ】本発明のさらに他の実施例によって基本ユニットが４副搬送波×６  ＯＦＤＭ（Ａ）シンボルで構成された場合に１Ｔｘ、２Ｔｘまたは２ストリーム、及び４Ｔｘまたは４ストリームパイロットを割り当てる例を示す。
【図５Ｂ】本発明のさらに他の実施例によって基本ユニットが４副搬送波×６  ＯＦＤＭ（Ａ）シンボルで構成された場合に１Ｔｘ、２Ｔｘまたは２ストリーム、及び４Ｔｘまたは４ストリームパイロットを割り当てる例を示す。
【図５Ｃ】本発明のさらに他の実施例によって基本ユニットが４副搬送波×６  ＯＦＤＭ（Ａ）シンボルで構成された場合に１Ｔｘ、２Ｔｘまたは２ストリーム、及び４Ｔｘまたは４ストリームパイロットを割り当てる例を示す。
【図６Ａ】本発明のさらに他の実施例によって基本ユニットが４副搬送波×６  ＯＦＤＭ（Ａ）シンボルで構成された場合に１Ｔｘ、２Ｔｘまたは２ストリーム、及び４Ｔｘまたは４ストリームパイロットを割り当てる例を示す。
【図６Ｂ】本発明のさらに他の実施例によって基本ユニットが４副搬送波×６  ＯＦＤＭ（Ａ）シンボルで構成された場合に１Ｔｘ、２Ｔｘまたは２ストリーム、及び４Ｔｘまたは４ストリームパイロットを割り当てる例を示す。
【図６Ｃ】本発明のさらに他の実施例によって基本ユニットが４副搬送波×６  ＯＦＤＭ（Ａ）シンボルで構成された場合に１Ｔｘ、２Ｔｘまたは２ストリーム、及び４Ｔｘまたは４ストリームパイロットを割り当てる例を示す。
【図７Ａ】本発明のさらに他の実施例によって基本ユニットが４副搬送波×６  ＯＦＤＭ（Ａ）シンボルで構成された場合に１Ｔｘ、２Ｔｘまたは２ストリーム、及び４Ｔｘまたは４ストリームパイロットを割り当てる例を示す。
【図７Ｂ】本発明のさらに他の実施例によって基本ユニットが４副搬送波×６  ＯＦＤＭ（Ａ）シンボルで構成された場合に１Ｔｘ、２Ｔｘまたは２ストリーム、及び４Ｔｘまたは４ストリームパイロットを割り当てる例を示す。
【図７Ｃ】本発明のさらに他の実施例によって基本ユニットが４副搬送波×６  ＯＦＤＭ（Ａ）シンボルで構成された場合に１Ｔｘ、２Ｔｘまたは２ストリーム、及び４Ｔｘまたは４ストリームパイロットを割り当てる例を示す。
【図８Ａ】本発明のさらに他の実施例によって基本ユニットが４副搬送波×６  ＯＦＤＭ（Ａ）シンボルで構成された場合に１Ｔｘ、２Ｔｘまたは２ストリーム、及び４Ｔｘまたは４ストリームパイロットを割り当てる例を示す。
【図８Ｂ】本発明のさらに他の実施例によって基本ユニットが４副搬送波×６  ＯＦＤＭ（Ａ）シンボルで構成された場合に１Ｔｘ、２Ｔｘまたは２ストリーム、及び４Ｔｘまたは４ストリームパイロットを割り当てる例を示す。
【図８Ｃ】本発明のさらに他の実施例によって基本ユニットが４副搬送波×６  ＯＦＤＭ（Ａ）シンボルで構成された場合に１Ｔｘ、２Ｔｘまたは２ストリーム、及び４Ｔｘまたは４ストリームパイロットを割り当てる例を示す。
【図９Ａ】本発明のさらに他の実施例によって基本ユニットが４副搬送波×６  ＯＦＤＭ（Ａ）シンボルで構成された場合に１Ｔｘ、２Ｔｘまたは２ストリーム、及び４Ｔｘまたは４ストリームパイロットを割り当てる例を示す。
【図９Ｂ】本発明のさらに他の実施例によって基本ユニットが４副搬送波×６  ＯＦＤＭ（Ａ）シンボルで構成された場合に１Ｔｘ、２Ｔｘまたは２ストリーム、及び４Ｔｘまたは４ストリームパイロットを割り当てる例を示す。
【図９Ｃ】本発明のさらに他の実施例によって基本ユニットが４副搬送波×６  ＯＦＤＭ（Ａ）シンボルで構成された場合に１Ｔｘ、２Ｔｘまたは２ストリーム、及び４Ｔｘまたは４ストリームパイロットを割り当てる例を示す。
【図１０】本発明のさらに他の実施例によって基本ユニットが４副搬送波×９  ＯＦＤＭ（Ａ）シンボルで構成された場合に１Ｔｘまたは１ストリームパイロットを割り当てる例を示す。
【図１１】本発明のさらに他の実施例によって基本ユニットが４副搬送波×９  ＯＦＤＭ（Ａ）シンボルで構成された場合に１Ｔｘまたは１ストリームパイロットを割り当てる例を示す。
【図１２】本発明のさらに他の実施例によって基本ユニットが４副搬送波×９  ＯＦＤＭ（Ａ）シンボルで構成された場合に１Ｔｘまたは１ストリームパイロットを割り当てる例を示す。
【図１３】本発明のさらに他の実施例によって基本ユニットが４副搬送波×９  ＯＦＤＭ（Ａ）シンボルで構成された場合に１Ｔｘまたは１ストリームパイロットを割り当てる例を示す。
【図１４Ａ】１ストリーム伝送である場合にチャンネル推定に対するシミュレーション結果を示す。
【図１４Ｂ】１ストリーム伝送である場合にチャンネル推定に対するシミュレーション結果を示す。
【図１４Ｃ】１ストリーム伝送である場合にチャンネル推定に対するシミュレーション結果を示す。
【図１５Ａ】２ストリーム伝送である場合にチャンネル推定に対するシミュレーション結果を示す。
【図１５Ｂ】２ストリーム伝送である場合にチャンネル推定に対するシミュレーション結果を示す。
【図１５Ｃ】２ストリーム伝送である場合にチャンネル推定に対するシミュレーション結果を示す。
【図１６】本発明の一実施例に適用されうる基地局のブロック図である。
【図１７】本発明の一実施例に適用されうる端末のブロック図である。
【図１８】本発明の一実施例に適用されうる送信機のブロック図である。
【図１９】本発明の一実施例に適用されうる受信機のブロック図である。
【発明を実施するための形態】
【００５４】
以下、図面を参照しつつ、本発明の好ましい実施例について説明する。ただし、下記の本発明の実施例は、様々な他の形態に変形することができ、本発明の範囲が以下に詳述する実施例に限定されることはない。
【００５５】
本発明の実施例は、ＯＦＤＭ（Ａ）システムのアップリンクでパイロットオーバーヘッドを減らし、チャンネル推定に対する優れた性能を保障できる構造に対する基本ユニット及びパイロット構造を提供する。本発明の実施例において、基本ユニット内で時間ドメインで低速及び高速ケースに対してロバストなチャンネル推定が可能なように、コヒーレント時間（ｃｏｈｅｒｅｎｔ  ｔｉｍｅ）を考慮して時間軸でパイロットＲＥを割り当てる。また、周波数ドメインでは様々な遅延拡散（ｄｅｌａｙ  ｓｐｒｅａｄ）に対してロバストなチャンネル推定が可能なように、コヒーレント帯域（ｃｏｈｅｒｅｎｔ  ｂａｎｄｗｉｄｔｈ）を考慮して周波数軸でパイロットＲＥを割り当てる。また、時間／周波数軸で基本ユニットが連続して割り当てられる場合、連続する基本ユニットのパイロットを用いてチャンネル推定性能を向上させることができる基本ユニット及びパイロット構造を提供する。
【００５６】
図２Ａは、本発明の一実施例によって基本ユニットが４副搬送波×３  ＯＦＤＭ（Ａ）シンボルで構成された場合に、１Ｔｘまたは１ストリームパイロット割当例を示す。この４×３基本ユニットには２個のパイロットＲＥが配置され、パイロットオーバーヘッドは１６．６７％である。この４×３基本ユニットは、周波数領域または時間領域で連続して割り当てられることができる。
【００５７】
４×３基本ユニット当たり２個のパイロットＲＥを使用すると、既存ＩＥＥＥ  ８０２．１６ｅアップリンクＰＵＳＣ構造に比べて、パイロットオーバーヘッドは１／２に減らすことができる。時間軸へのチャンネル推定において、低速ユーザケース（ｌｏｗ  ｓｐｅｅｄ  ｕｓｅｒ  ｃａｓｅ）と高速ユーザケース（ｈｉｇｈ  ｓｐｅｅｄ  ｕｓｅｒ  ｃａｓｅ）に対してロバストなチャンネル推定性能を保障するためには、４×３基本ユニットで時間軸の両端（すなわち、一番目のシンボルと三番目のシンボル）にパイロットＲＥを分散して配置することが好ましい。また、周波数軸へのチャンネル推定において、周波数選択性（ｆｒｅｑｕｅｎｃｙ  ｓｅｌｅｃｔｉｖｉｔｙ）を考慮してロバストなチャンネル推定性能を保障するためには、４×３基本ユニットで周波数軸の両端（すなわち、一番目及び四番目の副搬送波）にパイロットＲＥを割り当てることが好ましい。
【００５８】
図２Ａの左側を参照すると、４×３基本ユニットでパイロットＲＥの位置は、ｓ＝０の時、ｓｕｂｃａｒｒｉｅｒ＿ｉｎｄｅｘ＝０であり、ｓ＝２の時、ｓｕｂｃａｒｒｉｅｒ＿ｉｎｄｅｘ＝３である。ここで、副搬送波インデックスは、０以上の整数であり、上側から下側に増加し、ＯＦＤＭ（Ａ）シンボルインデックスは、０以上の整数であり、左側から右側に増加する。
【００５９】
図２Ａの右側を参照すると、４×３基本ユニットで、パイロットＲＥの位置は、ｓ＝０のとき、ｓｕｂｃａｒｒｉｅｒ＿ｉｎｄｅｘ＝３であり、ｓ＝２のとき、ｓｕｂｃａｒｒｉｅｒ＿ｉｎｄｅｘ＝０である。このパイロットＲＥの位置は、時間軸または周波数軸に沿って循環遷移（ｃｙｃｌｉｃ  ｓｈｉｆｔ）されることができる。このパイロットパターンを、下記の表に整理した。
【００６０】
【表１】
2011511527.tif 000007
【００６１】
【表２】
2011511527.tif 000008
上記の表で、“Ｐ”は、パイロットＲＥを表し、“−”は、データＲＥを表し、“ｓ”は、当該基本ユニットにおけるＯＦＤＭ（Ａ）シンボルインデックスを表し、“ＳＣ”は、当該基本ユニットにおける副搬送波インデックスを表す。
【００６２】
図２Ｂ及び図２Ｃは、本発明の他の実施例によって基本ユニットが４副搬送波×６  ＯＦＤＭ（Ａ）シンボルに拡張された場合に、それぞれ、２Ｔｘまたは２ストリーム、及び４Ｔｘまたは４ストリームパイロットＲＥを割り当てる例を示す。図２Ｂ及び図２Ｃは、図２Ａのパイロットパターンが多重アンテナに拡張された場合である。
【００６３】
図２Ｂを参照すると、４×６基本ユニットには２Ｔｘまたは２ストリームパイロットがアンテナポート別に２個ずつ配置され、総パイロットオーバーヘッドは１６．６７％である。この４×６基本ユニットは、周波数領域または時間領域で連続して割り当てられることができる。アンテナポート０に対するパイロットＲＥの位置は、ｓ＝０の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３である。アンテナポート１に対するパイロットＲＥの位置は、ｓ＝２の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０である。他の例として、アンテナポート０に対するパイロットＲＥの位置は、ｓ＝０の時、ｓｕｂｃａｒｒｉｅｒ＿ｉｎｄｅｘ＝３であり、ｓ＝５の時、ｓｕｂｃａｒｒｉｅｒ＿ｉｎｄｅｘ＝０である。アンテナポート１に対するパイロットＲＥの位置は、ｓ＝２の時、ｓｕｂｃａｒｒｉｅｒ＿ｉｎｄｅｘ＝０であり、ｓ＝３の時、ｓｕｂｃａｒｒｉｅｒ＿ｉｎｄｅｘ＝３である。このアンテナポート０及び１は、互いにスイッチすることができる。すなわち、アンテナポート０及び１は、互いに置き換えることができる。例えば、アンテナポート０に対するパイロットＲＥの位置は、ｓ＝２の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０であり、アンテナポート１に対するパイロットＲＥの位置はｓ＝０の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３とすることができる。
【００６４】
また、このパイロットＲＥの位置は、時間軸または周波数軸に沿って循環遷移（ｃｙｃｌｉｃ  ｓｈｉｆｔ）することができる。このパイロットパターンを、下記の表に整理した。
【００６５】
【表３】
2011511527.tif 000009
【００６６】
【表４】
2011511527.tif 000010
上記の表で、“Ｐ０”及び“Ｐ１”はそれぞれ、アンテナポート０及び１に対するパイロットＲＥを表し、“−”は、データＲＥを表し、“ｓ”は、当該基本ユニットにおけるＯＦＤＭ（Ａ）シンボルインデックスを表し、“ＳＣ”は、当該基本ユニットユニットにおける副搬送波インデックスを表す。
【００６７】
図２Ｃを参照すると、４×６基本ユニットには、４Ｔｘまたは４ストリームパイロットがアンテナポート別に２個ずつ配置され、総パイロットオーバーヘッドは３３。３４％である。この４×６基本ユニットは、周波数領域または時間領域で連続して割り当てられることができる。アンテナポート０に対するパイロットＲＥの位置は、ｓ＝０の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３である。アンテナポート１に対するパイロットＲＥの位置は、ｓ＝２の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０である。アンテナポート２に対するパイロットＲＥの位置は、ｓ＝０の時、ｓｕｂｃａｒｒｉｅｒ＿ｉｎｄｅｘ＝３であり、ｓ＝５の時、ｓｕｂｃａｒｒｉｅｒ＿ｉｎｄｅｘ＝０である。アンテナポート３に対するパイロットＲＥの位置は、ｓ＝２の時、ｓｕｂｃａｒｒｉｅｒ＿ｉｎｄｅｘ＝０であり、ｓ＝３の時、ｓｕｂｃａｒｒｉｅｒ＿ｉｎｄｅｘ＝３である。他の例として、アンテナポート０に対するパイロットＲＥの位置は、ｓ＝０の時、ｓｕｂｃａｒｒｉｅｒ＿ｉｎｄｅｘ＝３であり、ｓ＝５の時、ｓｕｂｃａｒｒｉｅｒ＿ｉｎｄｅｘ＝０である。アンテナポート１に対するパイロットＲＥの位置は、ｓ＝２の時、ｓｕｂｃａｒｒｉｅｒ＿ｉｎｄｅｘ＝０であり、ｓ＝３の時、ｓｕｂｃａｒｒｉｅｒ＿ｉｎｄｅｘ＝３である。アンテナポート２に対するパイロットＲＥの位置は、ｓ＝０の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３である。アンテナポート３に対するパイロットＲＥの位置は、ｓ＝２の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０である。このアンテナポートは、互いにスイッチすることができる。また、このパイロットＲＥの位置は、時間軸または周波数軸に沿って循環遷移することができる。このパイロットパターンを、下記の表に整理した。
【００６８】
【表５】
2011511527.tif 000011
【００６９】
【表６】
2011511527.tif 000012
上記の表で、“Ｐ０”乃至“Ｐ３”はそれぞれ、アンテナポート０乃至３に対するパイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【００７０】
図３Ａは、本発明の他の実施例によって基本ユニットが４副搬送波×３  ＯＦＤＭ（Ａ）シンボルで構成された場合に、１Ｔｘまたは１ストリームパイロット割当例を示す。この４×３基本ユニットには２個のパイロットが配置され、パイロットオーバーヘッドは１６．６７％である。この４×３基本ユニットは、周波数領域または時間領域で連続して割り当てられることができる。
【００７１】
４×３基本ユニット当たり２個のパイロットＲＥを使用すると、既存ＩＥＥＥ  ８０２．１６ｅアップリンクＰＵＳＣ構造に比べて、パイロットオーバーヘッドは１／２に減らすことができる。また、周波数軸へのチャンネル推定において、周波数選択性を考慮してロバストなチャンネル推定性能を保障するためには、４×３基本ユニットで周波数軸の両端（すなわち、１番目及び４番目の副搬送波）にパイロットを割り当てることが好ましい。図３Ａを参照すると、４×３基本ユニットでパイロットＲＥの位置は、ｓ＝１の時、ｓｕｂｃａｒｒｉｅｒ＿ｉｎｄｅｘ＝０及び３である。このパイロットＲＥの位置は、時間軸または周波数軸に沿って循環遷移することができる。このパイロットパターンを、下記の表に整理した。
【００７２】
【表７】
2011511527.tif 000013
上記の表で、“Ｐ”は、パイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【００７３】
図３Ｂ及び図３Ｃは、本発明の他の実施例によって基本ユニットが４副搬送波×６  ＯＦＤＭ（Ａ）シンボルに拡張された場合に、それぞれ２Ｔｘまたは２ストリーム、及び４Ｔｘまたは４ストリームパイロットを割り当てる例を示す。図３Ｂ及び図３Ｃは、図３Ａのパイロットパターンが多重アンテナに拡張された場合である。
【００７４】
図３Ｂを参照すると、当該４×６基本ユニットには２Ｔｘまたは２ストリームパイロットがアンテナポート別に２個ずつ配置され、総パイロットオーバーヘッドは１６．６７％である。この４×６基本ユニットは、周波数領域または時間領域で連続して割り当てられることができる。アンテナポート０に対するパイロットＲＥの位置は、ｓ＝１の時、ｓｕｂｃａｒｒｉｅｒ＿ｉｎｄｅｘ＝０であり、ｓ＝４の時、ｓｕｂｃａｒｒｉｅｒ＿ｉｎｄｅｘ＝３である。アンテナポート１に対するパイロットＲＥの位置は、ｓ＝１の時、ｓｕｂｃａｒｒｉｅｒ＿ｉｎｄｅｘ＝３であり、ｓ＝４の時、ｓｕｂｃａｒｒｉｅｒ＿ｉｎｄｅｘ＝０である。このアンテナポートは、互いにスイッチすることができる。また、パイロットＲＥの位置は、時間軸または周波数軸に沿って循環遷移することができる。このパイロットパターンを、下記の表に整理した。
【００７５】
【表８】
2011511527.tif 000014
上記の表で、“Ｐ０”及び“Ｐ１”はそれぞれ、アンテナポート０及び１に対するパイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【００７６】
図３Ｃを参照すると、この４×６基本ユニットには４Ｔｘまたは４ストリームパイロットがアンテナポート別に２個ずつ配置され、総パイロットオーバーヘッドは３３．３４％である。この４×６基本ユニットは、周波数領域または時間領域で連続して割り当てられることができる。アンテナポート０に対するパイロットＲＥの位置は、ｓ＝１の時、ｓｕｂｃａｒｒｉｅｒ＿ｉｎｄｅｘ＝０であり、ｓ＝４の時、ｓｕｂｃａｒｒｉｅｒ＿ｉｎｄｅｘ＝３である。アンテナポート１に対するパイロットＲＥの位置は、ｓ＝１の時、ｓｕｂｃａｒｒｉｅｒ＿ｉｎｄｅｘ＝３であり、ｓ＝４の時、ｓｕｂｃａｒｒｉｅｒ＿ｉｎｄｅｘ＝０である。アンテナポート２に対するパイロットＲＥの位置は、ｓ＝１の時、ｓｕｂｃａｒｒｉｅｒ＿ｉｎｄｅｘ＝１であり、ｓ＝４の時、ｓｕｂｃａｒｒｉｅｒ＿ｉｎｄｅｘ＝２である。アンテナポート３に対するパイロットＲＥの位置は、ｓ＝１の時、ｓｕｂｃａｒｒｉｅｒ＿ｉｎｄｅｘ＝２であり、ｓ＝４の時、ｓｕｂｃａｒｒｉｅｒ＿ｉｎｄｅｘ＝１である。このアンテナポートは、互いにスイッチすることができる。また、パイロットＲＥの位置は、時間軸または周波数軸に沿って循環遷移することができる。このパイロットパターンを、下記の表に整理した。
【００７７】
【表９】
2011511527.tif 000015
上記の表で、“Ｐ０”乃至“Ｐ３”はそれぞれ、アンテナポート０乃至３に対するパイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【００７８】
図４Ａは、本発明のさらに他の実施例によって基本ユニットが４副搬送波×３  ＯＦＤＭ（Ａ）シンボルで構成された場合に、１Ｔｘまたは１ストリームパイロット割当例を示す。この４×３基本ユニットには２個のパイロットが配置され、パイロットオーバーヘッドは１６．６７％である。この４×３基本ユニットは周波数領域または時間領域で連続して割り当てられることができる。
【００７９】
４×３基本ユニット当たり２個のパイロットＲＥを使用すると、既存ＩＥＥＥ  ８０２．１６ｅアップリンクＰＵＳＣ構造に比べて、パイロットオーバーヘッドは１／２に減らすことができる。時間軸へのチャンネル推定において、高速ユーザケースに対してロバストなチャンネル推定性能を保障するためには、４×３基本ユニットで時間軸で隣接するようにパイロットを配置することが好ましい。また、周波数軸へのチャンネル推定において、周波数選択性を考慮してロバストなチャンネル推定性能を保障するためには、４×３基本ユニットで周波数軸の両端（すなわち、１番目及び４番目の副搬送波）にパイロットを割り当てることが好ましい。パイロットＲＥの位置は、ｓ＝１の時、ｓｕｂｃａｒｒｉｅｒ＿ｉｎｄｅｘ＝０であり、ｓ＝２のとき、ｓｕｂｃａｒｒｉｅｒ＿ｉｎｄｅｘ＝３である。他の例として、パイロットＲＥの位置は、ｓ＝０の時、ｓｕｂｃａｒｒｉｅｒ＿ｉｎｄｅｘ＝０であり、ｓ＝１のとき、ｓｕｂｃａｒｒｉｅｒ＿ｉｎｄｅｘ＝３である。このパイロットＲＥの位置は、時間軸または周波数軸に沿って循環遷移することができる。このパイロットパターンを、下記の表に整理した。
【００８０】
【表１０】
2011511527.tif 000016
【００８１】
【表１１】
2011511527.tif 000017
上記の表で、“Ｐ”は、パイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【００８２】
図４Ｂ及び図４Ｃは、本発明の他の実施例によって基本ユニットが４副搬送波×６  ＯＦＤＭ（Ａ）シンボルに拡張された場合に、それぞれ２Ｔｘまたは２ストリーム、及び４Ｔｘまたは４ストリームパイロットを割り当てる例を示す。図４Ｂ及び図４Ｃは、図４Ａのパイロットパターンが多重アンテナに拡張された場合である。
【００８３】
図４Ｂを参照すると、４×６基本ユニットには２Ｔｘまたは２ストリームパイロットがアンテナポート別に２個ずつ配置され、総パイロットオーバーヘッドは１６．６７％である。この４×６基本ユニットは、周波数領域または時間領域で連続して割り当てられることができる。アンテナポート０に対するパイロットＲＥの位置は、ｓ＝１の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３である。アンテナポート１に対するパイロットＲＥの位置は、ｓ＝２の時、ｓｕｂｃａｒｒｉｅｒ＿ｉｎｄｅｘ＝３であり、ｓ＝４の時、ｓｕｂｃａｒｒｉｅｒ＿ｉｎｄｅｘ＝０である。他の例として、アンテナポート０に対するパイロットＲＥの位置は、ｓ＝０の時、ｓｕｂｃａｒｒｉｅｒ＿ｉｎｄｅｘ＝０であり、ｓ＝４の時、ｓｕｂｃａｒｒｉｅｒ＿ｉｎｄｅｘ＝３である。アンテナポート１に対するパイロットＲＥの位置は、ｓ＝１の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０である。このアンテナポートは、互いにスイッチすることができる。また、このパイロットＲＥの位置は、時間軸または周波数軸に沿って循環遷移することができる。このパイロットパターンを、下記の表に整理した。
【００８４】
【表１２】
2011511527.tif 000018
【００８５】
【表１３】
2011511527.tif 000019
上記の表で、“Ｐ０”及び“Ｐ１”はそれぞれ、アンテナポート０及び１に対するパイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【００８６】
図４Ｃを参照すると、４×６基本ユニットには４Ｔｘまたは４ストリームパイロットがアンテナポート別に２個ずつ配置され、総パイロットオーバーヘッドは３３．３４％である。この４×６基本ユニットは、周波数領域または時間領域で連続して割り当てられることができる。アンテナポート０に対するパイロットＲＥの位置は、ｓ＝１の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３である。アンテナポート１に対するパイロットＲＥの位置は、ｓ＝２の時、ｓｕｂｃａｒｒｉｅｒ＿ｉｎｄｅｘ＝３であり、ｓ＝４の時、ｓｕｂｃａｒｒｉｅｒ＿ｉｎｄｅｘ＝０である。アンテナポート２に対するパイロットＲＥの位置は、ｓ＝０の時、ｓｕｂｃａｒｒｉｅｒ＿ｉｎｄｅｘ＝０であり、ｓ＝４の時、ｓｕｂｃａｒｒｉｅｒ＿ｉｎｄｅｘ＝３である。アンテナポート３に対するパイロットＲＥの位置は、ｓ＝１の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０である。他の例として、アンテナポート０に対するパイロットＲＥの位置は、ｓ＝０の時、ｓｕｂｃａｒｒｉｅｒ＿ｉｎｄｅｘ＝０であり、ｓ＝４の時、ｓｕｂｃａｒｒｉｅｒ＿ｉｎｄｅｘ＝３である。アンテナポート１に対するパイロットＲＥの位置は、ｓ＝１の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０である。アンテナポート２に対するパイロットＲＥの位置は、ｓ＝１の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３である。アンテナポート３に対するパイロットＲＥの位置は、ｓ＝２の時、ｓｕｂｃａｒｒｉｅｒ＿ｉｎｄｅｘ＝３であり、ｓ＝４の時、ｓｕｂｃａｒｒｉｅｒ＿ｉｎｄｅｘ＝０である。このアンテナポートは、互いにスイッチすることができる。また、このパイロットＲＥの位置は、時間軸または周波数軸に沿って循環遷移することができる。このパイロットパターンを、下記の表に整理した。
【００８７】
【表１４】
2011511527.tif 000020
【００８８】
【表１５】
2011511527.tif 000021
上記の表で、“Ｐ０”乃至“Ｐ３”はそれぞれ、アンテナポート０乃至３に対するパイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【００８９】
図５Ａ乃至図５Ｃは、本発明のさらに他の実施例によって基本ユニットが４副搬送波×６  ＯＦＤＭ（Ａ）シンボルで構成された場合に、１Ｔｘ、２Ｔｘまたは２ストリーム、及び４Ｔｘまたは４ストリームパイロット割当例を示す。この４×６基本ユニットは、周波数領域または時間領域で連続して割り当てられることができる。
【００９０】
図５Ａを参照すると、パイロットＲＥの位置は、ｓ＝０の時、ｓｕｂｃａｒｒｉｅｒ＿ｉｎｄｅｘ＝０であり、ｓ＝１の時、ｓｕｂｃａｒｒｉｅｒ＿ｉｎｄｅｘ＝２であり、ｓ＝４の時、ｓｕｂｃａｒｒｉｅｒ＿ｉｎｄｅｘ＝１であり、ｓ＝５の時、ｓｕｂｃａｒｒｉｅｒ＿ｉｎｄｅｘ＝３である。他の例として、パイロットＲＥの位置は、ｓ＝０の時、ｓｕｂｃａｒｒｉｅｒ＿ｉｎｄｅｘ＝３であり、ｓ＝１の時、ｓｕｂｃａｒｒｉｅｒ＿ｉｎｄｅｘ＝１であり、ｓ＝４の時、ｓｕｂｃａｒｒｉｅｒ＿ｉｎｄｅｘ＝２であり、ｓ＝５の時、ｓｕｂｃａｒｒｉｅｒ＿ｉｎｄｅｘ＝０である。さらに他の例として、パイロットＲＥの位置は、ｓ＝０の時、ｓｕｂｃａｒｒｉｅｒ＿ｉｎｄｅｘ＝１であり、ｓ＝２の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝２である。さらに他の例として、パイロットＲＥの位置は、ｓ＝０の時、ｓｕｂｃａｒｒｉｅｒ＿ｉｎｄｅｘ＝２であり、ｓ＝２の時、ｓｕｂｃａｒｒｉｅｒ＿ｉｎｄｅｘ＝０であり、ｓ＝３の時、ｓｕｂｃａｒｒｉｅｒ＿ｉｎｄｅｘ＝３であり、ｓ＝５の時、ｓｕｂｃａｒｒｉｅｒ＿ｉｎｄｅｘ＝１である。このパイロットＲＥの位置は、時間軸または周波数軸に沿って循環遷移することができる。このパイロットパターンを、下記の表に整理した。
【００９１】
【表１６】
2011511527.tif 000022
【００９２】
【表１７】
2011511527.tif 000023
【００９３】
【表１８】
2011511527.tif 000024
【００９４】
【表１９】
2011511527.tif 000025
上記の表で、“Ｐ”は、パイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【００９５】
図５Ｂを参照すると、４×６基本ユニットには２Ｔｘまたは２ストリームパイロットがアンテナポート別に２個ずつ配置され、総パイロットオーバーヘッドは１６．６７％である。アンテナポート０に対するパイロットＲＥの位置は、ｓ＝０の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３である。アンテナポート１に対するパイロットＲＥの位置は、ｓ＝１の時、ｓｕｂｃａｒｒｉｅｒ＿ｉｎｄｅｘ＝２であり、ｓ＝４の時、ｓｕｂｃａｒｒｉｅｒ＿ｉｎｄｅｘ＝１である。他の例として、アンテナポート０に対するパイロットＲＥの位置は、ｓ＝０の時、ｓｕｂｃａｒｒｉｅｒ＿ｉｎｄｅｘ＝３であり、ｓ＝５の時、ｓｕｂｃａｒｒｉｅｒ＿ｉｎｄｅｘ＝０である。アンテナポート１に対するパイロットＲＥの位置は、ｓ＝１の時、ｓｕｂｃａｒｒｉｅｒ＿ｉｎｄｅｘ＝１であり、ｓ＝４の時、ｓｕｂｃａｒｒｉｅｒ＿ｉｎｄｅｘ＝２である。さらに他の例として、アンテナポート０に対するパイロットＲＥの位置は、ｓ＝０の時、ｓｕｂｃａｒｒｉｅｒ＿ｉｎｄｅｘ＝１であり、ｓ＝５の時、ｓｕｂｃａｒｒｉｅｒ＿ｉｎｄｅｘ＝２である。アンテナポート１に対するパイロットＲＥの位置は、ｓ＝２の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０である。さらに他の例として、アンテナポート０に対するパイロットＲＥの位置は、ｓ＝０の時、ｓｕｂｃａｒｒｉｅｒ＿ｉｎｄｅｘ＝２であり、ｓ＝５の時、ｓｕｂｃａｒｒｉｅｒ＿ｉｎｄｅｘ＝１である。アンテナポート１に対するパイロットＲＥの位置は、ｓ＝２の時、ｓｕｂｃａｒｒｉｅｒ＿ｉｎｄｅｘ＝０であり、ｓ＝３の時、ｓｕｂｃａｒｒｉｅｒ＿ｉｎｄｅｘ＝３である。このアンテナポートは、互いにスイッチすることができる。また、このパイロットＲＥの位置は、時間軸または周波数軸に沿って循環遷移することができる。このパイロットパターンを、下記の表に整理した。
【００９６】
【表２０】
2011511527.tif 000026
【００９７】
【表２１】
2011511527.tif 000027
【００９８】
【表２２】
2011511527.tif 000028
【００９９】
【表２３】
2011511527.tif 000029
上記の表で、“Ｐ０”及び“Ｐ１”はそれぞれ、アンテナポート０及び１に対するパイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１００】
図５Ｃを参照すると、４×６基本ユニットには４Ｔｘまたは４ストリームパイロットがアンテナポート別に２個ずつ配置され、総パイロットオーバーヘッドは３３．３４％である。アンテナポート０に対するパイロットＲＥの位置は、ｓ＝０の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３である。アンテナポート１に対するパイロットＲＥの位置は、ｓ＝１の時、ｓｕｂｃａｒｒｉｅｒ＿ｉｎｄｅｘ＝２であり、ｓ＝４の時、ｓｕｂｃａｒｒｉｅｒ＿ｉｎｄｅｘ＝１である。アンテナポート２に対するパイロットＲＥの位置は、ｓ＝０の時、ｓｕｂｃａｒｒｉｅｒ＿ｉｎｄｅｘ＝３であり、ｓ＝５の時、ｓｕｂｃａｒｒｉｅｒ＿ｉｎｄｅｘ＝０である。アンテナポート３に対するパイロットＲＥの位置は、ｓ＝１の時、ｓｕｂｃａｒｒｉｅｒ＿ｉｎｄｅｘ＝１であり、ｓ＝４の時、ｓｕｂｃａｒｒｉｅｒ＿ｉｎｄｅｘ＝２である。他の例として、アンテナポート０に対するパイロットＲＥの位置は、ｓ＝０の時、ｓｕｂｃａｒｒｉｅｒ＿ｉｎｄｅｘ＝３であり、ｓ＝５の時、ｓｕｂｃａｒｒｉｅｒ＿ｉｎｄｅｘ＝０である。アンテナポート１に対するパイロットＲＥの位置は、ｓ＝１の時、ｓｕｂｃａｒｒｉｅｒ＿ｉｎｄｅｘ＝１であり、ｓ＝４の時、ｓｕｂｃａｒｒｉｅｒ＿ｉｎｄｅｘ＝２である。アンテナポート２に対するパイロットＲＥの位置は、ｓ＝０の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３である。アンテナポート３に対するパイロットＲＥの位置は、ｓ＝１の時、ｓｕｂｃａｒｒｉｅｒ＿ｉｎｄｅｘ＝２であり、ｓ＝４の時、ｓｕｂｃａｒｒｉｅｒ＿ｉｎｄｅｘ＝１である。
【０１０１】
さらに他の例として、アンテナポート０に対するパイロットＲＥの位置は、ｓ＝０の時、ｓｕｂｃａｒｒｉｅｒ＿ｉｎｄｅｘ＝１であり、ｓ＝５の時、ｓｕｂｃａｒｒｉｅｒ＿ｉｎｄｅｘ＝２である。アンテナポート１に対するパイロットＲＥの位置は、ｓ＝２の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０である。アンテナポート２に対するパイロットＲＥの位置は、ｓ＝０の時、ｓｕｂｃａｒｒｉｅｒ＿ｉｎｄｅｘ＝２であり、ｓ＝５の時、ｓｕｂｃａｒｒｉｅｒ＿ｉｎｄｅｘ＝１である。アンテナポート３に対するパイロットＲＥの位置は、ｓ＝２の時、ｓｕｂｃａｒｒｉｅｒ＿ｉｎｄｅｘ＝０であり、ｓ＝３の時、ｓｕｂｃａｒｒｉｅｒ＿ｉｎｄｅｘ＝３である。さらに他の例として、アンテナポート０に対するパイロットＲＥの位置は、ｓ＝０の時、ｓｕｂｃａｒｒｉｅｒ＿ｉｎｄｅｘ＝２であり、ｓ＝５の時、ｓｕｂｃａｒｒｉｅｒ＿ｉｎｄｅｘ＝１である。アンテナポート１に対するパイロットＲＥの位置は、ｓ＝２の時、ｓｕｂｃａｒｒｉｅｒ＿ｉｎｄｅｘ＝０であり、ｓ＝３の時、ｓｕｂｃａｒｒｉｅｒ＿ｉｎｄｅｘ＝３である。アンテナポート２に対するパイロットＲＥの位置は、ｓ＝０の時、ｓｕｂｃａｒｒｉｅｒ＿ｉｎｄｅｘ＝１であり、ｓ＝５の時、ｓｕｂｃａｒｒｉｅｒ＿ｉｎｄｅｘ＝２である。アンテナポート３に対するパイロットＲＥの位置は、ｓ＝２の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０である。このアンテナポートは、互いにスイッチすることができる。また、このパイロットＲＥの位置は、時間軸または周波数軸に沿って循環遷移することができる。このパイロットパターンを、下記の表に整理した。
【０１０２】
【表２４】
2011511527.tif 000030
【０１０３】
【表２５】
2011511527.tif 000031
【０１０４】
【表２６】
2011511527.tif 000032
【０１０５】
【表２７】
2011511527.tif 000033
上記の表で、“Ｐ０”乃至“Ｐ３”はそれぞれ、アンテナポート０乃至３に対するパイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１０６】
図６Ａ乃至図６Ｃは、本発明のさらに他の実施例によって基本ユニットが４副搬送波×６  ＯＦＤＭ（Ａ）シンボルで構成された場合に、１Ｔｘ、２Ｔｘまたは２ストリーム、及び４Ｔｘまたは４ストリームパイロット割当例を示す。この４×６基本ユニットは、周波数領域または時間領域で連続して割り当てられることができる。
【０１０７】
図６Ａを参照すると、パイロットＲＥの位置は、ｓ＝１の時、ｓｕｂｃａｒｒｉｅｒ＿ｉｎｄｅｘ＝０及び２であり、ｓ＝４の時、ｓｕｂｃａｒｒｉｅｒ＿ｉｎｄｅｘ＝１及び３である。他の例として、パイロットＲＥの位置は、ｓ＝１の時、ｓｕｂｃａｒｒｉｅｒ＿ｉｎｄｅｘ＝１及び３であり、ｓ＝４の時、ｓｕｂｃａｒｒｉｅｒ＿ｉｎｄｅｘ＝０及び２である。このパイロットＲＥの位置は、時間軸に沿って循環遷移することができる。このパイロットパターンを、下記の表に整理した。
【０１０８】
【表２８】
2011511527.tif 000034
【０１０９】
【表２９】
2011511527.tif 000035
上記の表で、“Ｐ”は、パイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１１０】
図６Ｂを参照すると、当該４×６基本ユニットには２Ｔｘまたは２ストリームパイロットがアンテナポート別に２個ずつ配置され、総パイロットオーバーヘッドは１６．６７％である。アンテナポート０に対するパイロットＲＥの位置は、ｓ＝１の時、ｓｕｂｃａｒｒｉｅｒ＿ｉｎｄｅｘ＝０であり、ｓ＝４の時、ｓｕｂｃａｒｒｉｅｒ＿ｉｎｄｅｘ＝３である。アンテナポート１に対するパイロットＲＥの位置は、ｓ＝１の時、ｓｕｂｃａｒｒｉｅｒ＿ｉｎｄｅｘ＝２であり、ｓ＝４の時、ｓｕｂｃａｒｒｉｅｒ＿ｉｎｄｅｘ＝１である。他の例として、アンテナポート０に対するパイロットＲＥの位置は、ｓ＝１の時、ｓｕｂｃａｒｒｉｅｒ＿ｉｎｄｅｘ＝３であり、ｓ＝４の時、ｓｕｂｃａｒｒｉｅｒ＿ｉｎｄｅｘ＝０である。アンテナポート１に対するパイロットＲＥの位置は、ｓ＝１の時、ｓｕｂｃａｒｒｉｅｒ＿ｉｎｄｅｘ＝１であり、ｓ＝４の時、ｓｕｂｃａｒｒｉｅｒ＿ｉｎｄｅｘ＝２である。このアンテナポートは、互いにスイッチすることができる。また、このパイロットＲＥの位置は、時間軸または周波数軸に沿って循環遷移することができる。このパイロットパターンを、下記の表に整理した。
【０１１１】
【表３０】
2011511527.tif 000036
【０１１２】
【表３１】
2011511527.tif 000037
上記の表で、“Ｐ０”及び“Ｐ１”はそれぞれ、アンテナポート０及び１に対するパイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１１３】
図６Ｃを参照すると、当該４×６基本ユニットには４Ｔｘまたは４ストリームパイロットがアンテナポート別に２個ずつ配置され、総パイロットオーバーヘッドは３３．３４％である。アンテナポート０に対するパイロットＲＥの位置は、ｓ＝１の時、ｓｕｂｃａｒｒｉｅｒ＿ｉｎｄｅｘ＝０であり、ｓ＝４の時、ｓｕｂｃａｒｒｉｅｒ＿ｉｎｄｅｘ＝３である。アンテナポート１に対するパイロットＲＥの位置は、ｓ＝１の時、ｓｕｂｃａｒｒｉｅｒ＿ｉｎｄｅｘ＝２であり、ｓ＝４の時、ｓｕｂｃａｒｒｉｅｒ＿ｉｎｄｅｘ＝１である。アンテナポート２に対するパイロットＲＥの位置は、ｓ＝１の時、ｓｕｂｃａｒｒｉｅｒ＿ｉｎｄｅｘ＝１であり、ｓ＝４の時、ｓｕｂｃａｒｒｉｅｒ＿ｉｎｄｅｘ＝２である。アンテナポート３に対するパイロットＲＥの位置は、ｓ＝１の時、ｓｕｂｃａｒｒｉｅｒ＿ｉｎｄｅｘ＝３であり、ｓ＝４の時、ｓｕｂｃａｒｒｉｅｒ＿ｉｎｄｅｘ＝０である。他の例として、アンテナポート０に対するパイロットＲＥの位置は、ｓ＝１の時、ｓｕｂｃａｒｒｉｅｒ＿ｉｎｄｅｘ＝３であり、ｓ＝４の時、ｓｕｂｃａｒｒｉｅｒ＿ｉｎｄｅｘ＝０である。アンテナポート１に対するパイロットＲＥの位置は、ｓ＝１の時、ｓｕｂｃａｒｒｉｅｒ＿ｉｎｄｅｘ＝１であり、ｓ＝４の時、ｓｕｂｃａｒｒｉｅｒ＿ｉｎｄｅｘ＝２である。アンテナポート２に対するパイロットＲＥの位置は、ｓ＝１の時、ｓｕｂｃａｒｒｉｅｒ＿ｉｎｄｅｘ＝２であり、ｓ＝４の時、ｓｕｂｃａｒｒｉｅｒ＿ｉｎｄｅｘ＝１である。アンテナポート３に対するパイロットＲＥの位置は、ｓ＝１の時、ｓｕｂｃａｒｒｉｅｒ＿ｉｎｄｅｘ＝０であり、ｓ＝４の時、ｓｕｂｃａｒｒｉｅｒ＿ｉｎｄｅｘ＝３である。このアンテナポートは、互いにスイッチすることができる。また、このパイロットＲＥの位置は、時間軸または周波数軸に沿って循環遷移することができる。このパイロットパターンを、下記の表に整理した。
【０１１４】
【表３２】
2011511527.tif 000038
【０１１５】
【表３３】
2011511527.tif 000039
上記の表で、“Ｐ０”乃至“Ｐ３”はそれぞれ、アンテナポート０乃至３に対するパイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１１６】
図７Ａ乃至図７Ｃは、本発明のさらに他の実施例によって基本ユニットが４副搬送波×６  ＯＦＤＭ（Ａ）シンボルで構成された場合に、１Ｔｘ、２Ｔｘまたは２ストリーム、及び４Ｔｘまたは４ストリームパイロット割当例を示す。この４×６基本ユニットは、周波数領域または時間領域で連続して割り当てられることができる。
【０１１７】
図７Ａを参照すると、パイロットＲＥの位置は、ｓ＝１の時、ｓｕｂｃａｒｒｉｅｒ＿ｉｎｄｅｘ＝１であり、ｓ＝２の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０であり、ｓ＝４の時、ｓｕｂｃａｒｒｉｅｒ＿ｉｎｄｅｘ＝２である。他の例として、パイロットＲＥの位置は、ｓ＝１の時、ｓｕｂｃａｒｒｉｅｒ＿ｉｎｄｅｘ＝２であり、ｓ＝２の時、ｓｕｂｃａｒｒｉｅｒ＿ｉｎｄｅｘ＝０であり、ｓ＝３の時、ｓｕｂｃａｒｒｉｅｒ＿ｉｎｄｅｘ＝３であり、ｓ＝４の時、ｓｕｂｃａｒｒｉｅｒ＿ｉｎｄｅｘ＝１である。このパイロットＲＥの位置は、時間軸または周波数軸に沿って循環遷移することができる。このパイロットパターンを、下記の表に整理した。
【０１１８】
【表３４】
2011511527.tif 000040
【０１１９】
【表３５】
2011511527.tif 000041
上記の表で、“Ｐ”は、パイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１２０】
図７Ｂを参照すると、当該４×６基本ユニットには２Ｔｘまたは２ストリームパイロットがアンテナポート別に２個ずつ配置され、総パイロットオーバーヘッドは１６．６７％である。アンテナポート０に対するパイロットＲＥの位置は、ｓ＝１の時、ｓｕｂｃａｒｒｉｅｒ＿ｉｎｄｅｘ＝１であり、ｓ＝４の時、ｓｕｂｃａｒｒｉｅｒ＿ｉｎｄｅｘ＝２である。アンテナポート１に対するパイロットＲＥの位置は、ｓ＝２の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０である。他の例として、アンテナポート０に対するパイロットＲＥの位置は、ｓ＝１の時、ｓｕｂｃａｒｒｉｅｒ＿ｉｎｄｅｘ＝２であり、ｓ＝４の時、ｓｕｂｃａｒｒｉｅｒ＿ｉｎｄｅｘ＝１である。アンテナポート１に対するパイロットＲＥの位置は、ｓ＝２の時、ｓｕｂｃａｒｒｉｅｒ＿ｉｎｄｅｘ＝０であり、ｓ＝３の時、ｓｕｂｃａｒｒｉｅｒ＿ｉｎｄｅｘ＝３である。このアンテナポートは、互いにスイッチすることができる。また、このパイロットＲＥの位置は、時間軸または周波数軸に沿って循環遷移することができる。このパイロットパターンを、下記の表に整理した。
【０１２１】
【表３６】
2011511527.tif 000042
【０１２２】
【表３７】
2011511527.tif 000043
上記の表で、“Ｐ０”及び“Ｐ１”はそれぞれ、アンテナポート０及び１に対するパイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１２３】
図７Ｃを参照すると、当該４×６基本ユニットには４Ｔｘまたは４ストリームパイロットがアンテナポート別に２個ずつ配置され、総パイロットオーバーヘッドは３３．３４％である。アンテナポート０に対するパイロットＲＥの位置は、ｓ＝１の時、ｓｕｂｃａｒｒｉｅｒ＿ｉｎｄｅｘ＝１であり、ｓ＝４の時、ｓｕｂｃａｒｒｉｅｒ＿ｉｎｄｅｘ＝２である。アンテナポート１に対するパイロットＲＥの位置は、ｓ＝２の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０である。アンテナポート２に対するパイロットＲＥの位置は、ｓ＝１の時、ｓｕｂｃａｒｒｉｅｒ＿ｉｎｄｅｘ＝２であり、ｓ＝４の時、ｓｕｂｃａｒｒｉｅｒ＿ｉｎｄｅｘ＝１である。アンテナポート３に対するパイロットＲＥの位置は、ｓ＝２の時、ｓｕｂｃａｒｒｉｅｒ＿ｉｎｄｅｘ＝０であり、ｓ＝３の時、ｓｕｂｃａｒｒｉｅｒ＿ｉｎｄｅｘ＝３である。他の例として、アンテナポート０に対するパイロットＲＥの位置は、ｓ＝１の時、ｓｕｂｃａｒｒｉｅｒ＿ｉｎｄｅｘ＝２であり、ｓ＝４の時、ｓｕｂｃａｒｒｉｅｒ＿ｉｎｄｅｘ＝１である。アンテナポート１に対するパイロットＲＥの位置は、ｓ＝２の時、ｓｕｂｃａｒｒｉｅｒ＿ｉｎｄｅｘ＝０であり、ｓ＝３の時、ｓｕｂｃａｒｒｉｅｒ＿ｉｎｄｅｘ＝３である。アンテナポート２に対するパイロットＲＥの位置は、ｓ＝１の時、ｓｕｂｃａｒｒｉｅｒ＿ｉｎｄｅｘ＝１であり、ｓ＝４の時、ｓｕｂｃａｒｒｉｅｒ＿ｉｎｄｅｘ＝２である。アンテナポート３に対するパイロットＲＥの位置は、ｓ＝２の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０である。このアンテナポートは、互いにスイッチすることができる。また、このパイロットＲＥの位置は、時間軸または周波数軸に沿って循環遷移することができる。このパイロットパターンを、下記の表に整理した。
【０１２４】
【表３８】
2011511527.tif 000044
【０１２５】
【表３９】
2011511527.tif 000045
上記の表で、“Ｐ０”乃至“Ｐ３”はそれぞれ、アンテナポート０乃至３に対するパイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１２６】
図８Ａ乃至図８Ｃは、本発明のさらに他の実施例によって基本ユニットが４副搬送波×６  ＯＦＤＭ（Ａ）シンボルで構成された場合に、１Ｔｘ、２Ｔｘまたは２ストリーム、及び４Ｔｘまたは４ストリームパイロット割当例を示す。この４×６基本ユニットは、周波数領域または時間領域で連続して割り当てられることができる。
【０１２７】
図８Ａを参照すると、４×６基本ユニット当たり２個のパイロットＲＥを使用すると、既存ＩＥＥＥ  ８０２．１６ｅアップリンクＰＵＳＣ構造に比べて、パイロットオーバーヘッドは１／２に減らすことができる。時間軸へのチャンネル推定において、低速ユーザケース（ｌｏｗ  ｓｐｅｅｄ  ｕｓｅｒ  ｃａｓｅ）に対してロバストなチャンネル推定性能を保障するためには、４×６基本ユニットで時間軸の両端にパイロットを分散して配置することが好ましい。また、周波数軸へのチャンネル推定において、周波数選択性（ｆｒｅｑｕｅｎｃｙ  ｓｅｌｅｃｔｉｖｉｔｙ）を考慮してロバストなチャンネル推定性能を保障するためには、４×６基本ユニットで周波数軸の両端（すなわち、１番目及び４番目の副搬送波）にパイロットを割り当てることが好ましい。パイロットＲＥの位置は、ｓ＝０の時、ｓｕｂｃａｒｒｉｅｒ＿ｉｎｄｅｘ＝０及び３であり、ｓ＝５の時、ｓｕｂｃａｒｒｉｅｒ＿ｉｎｄｅｘ＝０及び３である。このパイロットＲＥの位置は、時間軸または周波数軸に沿って循環遷移することができる。このパイロットパターンを、下記の表に整理した。
【０１２８】
【表４０】
2011511527.tif 000046
上記の表で、“Ｐ”は、パイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１２９】
図８Ｂを参照すると、当該４×６基本ユニットには２Ｔｘまたは２ストリームパイロットがアンテナポート別に２個ずつ配置され、総パイロットオーバーヘッドは１６．６７％である。アンテナポート０に対するパイロットＲＥの位置は、ｓ＝０の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３である。アンテナポート１に対するパイロットＲＥの位置は、ｓ＝０の時、ｓｕｂｃａｒｒｉｅｒ＿ｉｎｄｅｘ＝３であり、ｓ＝５の時、ｓｕｂｃａｒｒｉｅｒ＿ｉｎｄｅｘ＝０である。このアンテナポートは、互いにスイッチすることができる。また、このパイロットＲＥの位置は、時間軸または周波数軸に沿って循環遷移することができる。このパイロットパターンを、下記の表に整理した。
【０１３０】
【表４１】
2011511527.tif 000047
上記の表で、“Ｐ０”及び“Ｐ１”はそれぞれ、アンテナポート０及び１に対するパイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１３１】
このパイロットパターンは、下記のような理由から、２Ｔｘアンテナを有するアップリンク伝送において特に好ましい。
【０１３２】
第一、無線通信システムがＭＩＭＯ（ｍｕｌｔｉ−ｉｎｐｕｔ  ｍｕｌｔｉ−ｏｕｔｐｕｔ）技術を支援する場合、図８Ｂのパイロットパターンは、ＳＴＢＣ（ｓｐａｃｅ  ｔｉｍｅ  ｂｌｏｃｋ  ｃｏｄｅ）及びＳＦＢＣ（ｓｐａｃｅ  ｆｒｅｑｕｅｎｃｙ  ｂｌｏｃｋ  ｃｏｄｅ）を效果的に支援することができる。ＳＴＢＣを支援するためには、パイロットを除くデータ及び制御情報伝送のための副搬送波が、時間軸で偶数のＯＦＤＭ（Ａ）シンボルを構成しなければならない。特に、副搬送波単位で対をなすＯＦＤＭ（Ａ）シンボルが連続するように割り当てられることが、ＳＴＢＣの性能向上においてより有利である。ＳＴＢＣでは、対をなす副搬送波単位のＯＦＤＭ（Ａ）シンボルが経験するチャンネルが同一または類似の場合に、大きい利得を得ることができるためである。図８Ｂを参照すると、パイロットを除く副搬送波単位のＯＦＤＭ（Ａ）シンボルは、時間軸上で連続しており、偶数個で構成されている。また、ＳＦＢＣを支援するためには、パイロットを除くデータ及び制御情報伝送のための副搬送波の個数が、周波数軸上で偶数となっていなければならない。特に、ＯＦＤＭ（Ａ）シンボル内で対をなす副搬送波が連続するように割り当てられることが、ＳＦＢＣの性能の向上においてより有利である。ＳＦＢＣでは、対をなす副搬送波が経験するチャンネルが同一または類似の場合に、大きい利得を得ることができるためである。図８Ｂを参照すると、パイロットを除く副搬送波は、それぞれのＯＦＤＭ（Ａ）シンボル内で連続しており、偶数個で構成されている。したがって、図８Ｂのパイロットパターンは、ＭＩＭＯシステムを效果的に支援することができる。
【０１３３】
第二、アンテナポート０及び１に対するパイロットが同一のＯＦＤＭ（Ａ）シンボルに割り当てられることによって、パイロットブースティング（ｂｏｏｓｔｉｎｇ）によるチャンネル推定性能を向上させることができる。例えば、アンテナポート０に対するパイロットとデータを送信する場合、アンテナポート１に対するパイロットＲＥは一切送信しない。この場合、アンテナポート１に対するパイロットに割り当てられる電力を、アンテナポート０に対するパイロットにさらに割り当てることができる。これにより、パイロットブースティングに対するチャンネル推定性能の向上を図ることができる。また、使用可能な電力が制限されるアップリンク伝送において電力バランシング問題（Ｐｏｗｅｒ  ｂａｌａｎｃｉｎｇ  ｐｒｏｂｌｅｍ）を解決するのにも役立つ。
【０１３４】
第三、コヒーレント時間（ｃｏｈｅｒｅｎｔ  ｔｉｍｅ）とコヒーレント帯域幅（ｃｏｈｅｒｅｎｔ  ｂａｎｄｗｉｄｔｈ）を最大限に活用した効率的なチャンネル推定が可能である。具体的に、チャンネルディレイスプレッドが大きい環境にあっても、４個の副搬送波単位ではチャンネルがほとんど変わらないか、線形的に微小に変わる。また、端末が高速で移動する場合でなければ、６個以内のＯＦＤＭ（Ａ）シンボル単位ではチャンネルの変化が大きくない。さらに、端末速度が増加して高速チャンネルを経験する場合であっても、６個以内のＯＦＤＭ（Ａ）シンボル単位でチャンネルが線形的に変わる。図８Ｂのパイロットパターンを参照すると、各アンテナポートに対する２個のパイロットは、４×６基本ユニットの対角線方向の両端に位置している。したがって、コヒーレント時間（ｃｏｈｅｒｅｎｔ  ｔｉｍｅ）とコヒーレント帯域幅（ｃｏｈｅｒｅｎｔ  ｂａｎｄｗｉｄｔｈ）を最大限に活用することによってチャンネル推定性能を向上させることができる。
【０１３５】
第目、４×６基本ユニットのエッジ（ｅｄｇｅ）にパイロットを割り当てることによって、チャンネル推定時に外挿（ｅｘｔｒａｐｏｌａｔｉｏｎ）に起因するチャンネル推定性能の劣化を防止することができる。
【０１３６】
図８Ｃを参照すると、４×６基本ユニットには４Ｔｘまたは４ストリームパイロットがアンテナポート別に２個ずつ配置され、総パイロットオーバーヘッドは３３．３４％である。アンテナポート０に対するパイロットＲＥの位置は、ｓ＝０の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３である。アンテナポート１に対するパイロットＲＥの位置は、ｓ＝０の時、ｓｕｂｃａｒｒｉｅｒ＿ｉｎｄｅｘ＝３であり、ｓ＝５の時、ｓｕｂｃａｒｒｉｅｒ＿ｉｎｄｅｘ＝０である。アンテナポート２に対するパイロットＲＥの位置は、ｓ＝０の時、ｓｕｂｃａｒｒｉｅｒ＿ｉｎｄｅｘ＝１であり、ｓ＝５の時、ｓｕｂｃａｒｒｉｅｒ＿ｉｎｄｅｘ＝２である。アンテナポート３に対するパイロットＲＥの位置は、ｓ＝０の時、ｓｕｂｃａｒｒｉｅｒ＿ｉｎｄｅｘ＝２であり、ｓ＝５の時、ｓｕｂｃａｒｒｉｅｒ＿ｉｎｄｅｘ＝１である。このアンテナポートは、互いにスイッチすることができる。また、このパイロットＲＥの位置は、時間軸または周波数軸に沿って循環遷移することができる。このパイロットパターンを、下記の表に整理した。
【０１３７】
【表４２】
2011511527.tif 000048
上記の表で、“Ｐ０”乃至“Ｐ３”はそれぞれ、アンテナポート０乃至３に対するパイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１３８】
図９Ａ乃至図９Ｃは、本発明のさらに他の実施例によって基本ユニットが４副搬送波×６  ＯＦＤＭ（Ａ）シンボルで構成された場合に１Ｔｘ、２Ｔｘまたは２ストリーム、及び４Ｔｘまたは４ストリームパイロット割当例を示す。この４×６基本ユニットは、周波数領域または時間領域で連続して割り当てられることができる。
【０１３９】
図９Ａを参照すると、パイロットＲＥの位置は、ｓ＝０の時、ｓｕｂｃａｒｒｉｅｒ＿ｉｎｄｅｘ＝０であり、ｓ＝１の時、ｓｕｂｃａｒｒｉｅｒ＿ｉｎｄｅｘ＝３であり、ｓ＝４の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３である。他の例として、パイロットＲＥの位置は、ｓ＝０の時、ｓｕｂｃａｒｒｉｅｒ＿ｉｎｄｅｘ＝３であり、ｓ＝１の時、ｓｕｂｃａｒｒｉｅｒ＿ｉｎｄｅｘ＝０であり、ｓ＝４の時、ｓｕｂｃａｒｒｉｅｒ＿ｉｎｄｅｘ＝３であり、ｓ＝５の時、ｓｕｂｃａｒｒｉｅｒ＿ｉｎｄｅｘ＝０である。このパイロットＲＥの位置は、時間軸または周波数軸に沿って循環遷移することができる。このパイロットパターンを、下記の表に整理した。
【０１４０】
【表４３】
2011511527.tif 000049
【０１４１】
【表４４】
2011511527.tif 000050
上記の表で、“Ｐ”は、パイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１４２】
このパイロットパターンは、下のような理由から、１Ｔｘアンテナを有するアップリンク伝送において特に好ましい。
【０１４３】
第一、パイロットブースティングによるチャンネル推定利得を得るのに好適な構造を有している。図９Ａのパイロットパターンは、パイロットＲＥの位置が時間軸上で異なるＯＦＤＭ（Ａ）シンボルに割り当てられている。したがって、パイロットＲＥとデータＲＥを同時に送信したりパイロットＲＥのみを送信したりする場合、パイロットブースティング効果によりチャンネル推定性能を向上させることができる。すなわち、データＲＥに割り当てられなければならない電力の一部を、パイロットＲＥに割り当てることで、パイロットブースティングによる性能利得を得ることができる。しかし、同一ＯＦＤＭ（Ａ）シンボルに単一アンテナのための多数のパイロットを割り当てる場合、データＲＥからの制限された電力を複数のパイロットに分散するようになるため、性能向上が大きくない。具体的に、図９Ａのパイロットパターンでは、一つのＯＦＤＭ（Ａ）シンボル内で３個のデータＲＥに割り当てられなければならない電力の一部を、パイロットＲＥに割り当てることで、パイロットブースティングによる性能利得を得ることができる。しかし、一つのＯＦＤＭ（Ａ）シンボル内に２個のパイロットＲＥがある場合には、２個のデータＲＥに用いられる電力を２個のパイロットＲＥに割り当てるから、一つのＯＦＤＭ（Ａ）シンボル内に一つのパイロットＲＥを有する場合に比べて、パイロットブースティングによる性能が劣化する。特に、アップリンクは電力制限を有するという点を考慮する時、一つのＯＦＤＭ（Ａ）シンボル内に一つのパイロットＲＥを使用することは、電力バランシング問題を解決するのに役立つ。
【０１４４】
第二、コヒーレント時間（ｃｏｈｅｒｅｎｔ  ｔｉｍｅ）とコヒーレント帯域幅（ｃｏｈｅｒｅｎｔ  ｂａｎｄｗｉｄｔｈ）を最大限に活用した効率的なチャンネル推定が可能である。具体的に、チャンネルディレイスプレッドが大きい場合、コヒーレント帯域幅は４個の副搬送波以上である。すなわち、４個の副搬送波単位でチャンネルがほとんど変わらないか、線形的に微小に変わる。また、端末速度が増加して高速チャンネルを経験する場合、コヒーレント時間は３個以上のＯＦＤＭ（Ａ）シンボル単位であり、よって、３個以上のＯＦＤＭ（Ａ）シンボル単位でチャンネルが変化する（すなわち、３個の連続するＯＦＤＭ（Ａ）シンボルではチャネルがほとんど変わらない。）。図９Ａのパイロットパターンは、パイロットスペーシングが周波数軸及び時間軸上で最大となるように配置されている。具体的に、パイロットスペーシングは、周波数軸上で３副搬送波であり、時間軸上で１及び３  ＯＦＤＭ（Ａ）シンボルである。したがって、図９Ａのパイロットパターンは、コヒーレント時間とコヒーレント帯域幅を最大限に活用することによってチャンネル推定性能を改善することができる。
【０１４５】
図９Ｂを参照すると、当該４×６基本ユニットには２Ｔｘまたは２ストリームパイロットがアンテナポート別に２個ずつ配置され、総パイロットオーバーヘッドは１６．６７％である。アンテナポート０に対するパイロットＲＥの位置は、ｓ＝０の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３である。アンテナポート１に対するパイロットＲＥの位置は、ｓ＝１の時、ｓｕｂｃａｒｒｉｅｒ＿ｉｎｄｅｘ＝３であり、ｓ＝４の時、ｓｕｂｃａｒｒｉｅｒ＿ｉｎｄｅｘ＝０である。他の例として、アンテナポート０に対するパイロットＲＥの位置は、ｓ＝０の時、ｓｕｂｃａｒｒｉｅｒ＿ｉｎｄｅｘ＝３であり、ｓ＝５の時、ｓｕｂｃａｒｒｉｅｒ＿ｉｎｄｅｘ＝０である。アンテナポート１に対するパイロットＲＥの位置は、ｓ＝１の時、ｓｕｂｃａｒｒｉｅｒ＿ｉｎｄｅｘ＝０であり、ｓ＝４の時、ｓｕｂｃａｒｒｉｅｒ＿ｉｎｄｅｘ＝３である。このアンテナポートは、互いにスイッチすることができる。また、このパイロットＲＥの位置は、時間軸または周波数軸に沿って循環遷移することができる。このパイロットパターンを、下記の表に整理した。
【０１４６】
【表４５】
2011511527.tif 000051
【０１４７】
【表４６】
2011511527.tif 000052
上記の表で、“Ｐ０”及び“Ｐ１”はそれぞれ、アンテナポート０及び１に対するパイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１４８】
図９Ｃを参照すると、当該４×６基本ユニットには４Ｔｘまたは４ストリームパイロットがアンテナポート別に２個ずつ配置され、総パイロットオーバーヘッドは３３．３４％である。アンテナポート０に対するパイロットＲＥの位置は、ｓ＝０の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３である。アンテナポート１に対するパイロットＲＥの位置は、ｓ＝１の時、ｓｕｂｃａｒｒｉｅｒ＿ｉｎｄｅｘ＝３であり、ｓ＝４の時、ｓｕｂｃａｒｒｉｅｒ＿ｉｎｄｅｘ＝０である。アンテナポート２に対するパイロットＲＥの位置は、ｓ＝０の時、ｓｕｂｃａｒｒｉｅｒ＿ｉｎｄｅｘ＝３であり、ｓ＝５の時、ｓｕｂｃａｒｒｉｅｒ＿ｉｎｄｅｘ＝０である。アンテナポート３に対するパイロットＲＥの位置は、ｓ＝１の時、ｓｕｂｃａｒｒｉｅｒ＿ｉｎｄｅｘ＝０であり、ｓ＝４の時、ｓｕｂｃａｒｒｉｅｒ＿ｉｎｄｅｘ＝３である。他の例として、アンテナポート０に対するパイロットＲＥの位置は、ｓ＝０の時、ｓｕｂｃａｒｒｉｅｒ＿ｉｎｄｅｘ＝３であり、ｓ＝５の時、ｓｕｂｃａｒｒｉｅｒ＿ｉｎｄｅｘ＝０である。アンテナポート１に対するパイロットＲＥの位置は、ｓ＝１の時、ｓｕｂｃａｒｒｉｅｒ＿ｉｎｄｅｘ＝０であり、ｓ＝４の時、ｓｕｂｃａｒｒｉｅｒ＿ｉｎｄｅｘ＝３である。アンテナポート２に対するパイロットＲＥの位置は、ｓ＝０の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３である。アンテナポート３に対するパイロットＲＥの位置は、ｓ＝１の時、ｓｕｂｃａｒｒｉｅｒ＿ｉｎｄｅｘ＝３であり、ｓ＝４の時、ｓｕｂｃａｒｒｉｅｒ＿ｉｎｄｅｘ＝０である。このアンテナポートは、互いにスイッチすることができる。また、このパイロットＲＥの位置は、時間軸または周波数軸に沿って循環遷移することができる。このパイロットパターンを、下記の表に整理した。
【０１４９】
【表４７】
2011511527.tif 000053
【０１５０】
【表４８】
2011511527.tif 000054
上記の表で、“Ｐ０”乃至“Ｐ３”はそれぞれ、アンテナポート０乃至３に対するパイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１５１】
図１０は、本発明のさらに他の実施例によって基本ユニットが４副搬送波×９  ＯＦＤＭ（Ａ）シンボルで構成された場合に１Ｔｘまたは１ストリームパイロットを割り当てる例を示す。パイロットは、周波数軸上で４×９基本ユニットの両端に位置しており、同一の時間間隔を維持するように配置される。パイロットオーバーヘッドは１６．６７％である。この４×９基本ユニットは、周波数領域または時間領域で連続して割り当てられることができる。図１０は、単一アンテナに対するパイロットについて例示したが、図１０のパイロットパターンは、図２乃至図９で例示した方式と同様の方式で多重アンテナにも適用されることができる。
【０１５２】
具体的に、パイロットＲＥの位置は、ｓ＝０の時、ｓｕｂｃａｒｒｉｅｒ＿ｉｎｄｅｘ＝０及び３であり、ｓ＝４の時、ｓｕｂｃａｒｒｉｅｒ＿ｉｎｄｅｘ＝０及び３であり、ｓ＝８の時、ｓｕｂｃａｒｒｉｅｒ＿ｉｎｄｅｘ＝０及び３である。このパイロットＲＥの位置は、時間軸または周波数軸に沿って循環遷移することができる。このパイロットパターンを、下記の表に整理した。
【０１５３】
【表４９】
2011511527.tif 000055
上記の表で、“Ｐ”は、パイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１５４】
図１１は、本発明のさらに他の実施例によって基本ユニットが４副搬送波×９  ＯＦＤＭ（Ａ）シンボルで構成された場合に、１Ｔｘまたは１ストリームパイロットを割り当てる例を示す。パイロットＲＥを時間軸で２  ＯＦＤＭ（Ａ）シンボル間隔で配置することによって、低速よりは高速である場合に、よりロバストとなるように設計された。パイロットオーバーヘッドは１１．１１％である。この４×９基本ユニットは、周波数領域または時間領域で連続して割り当てられることができる。図１１は、単一アンテナに対するパイロットについて例示したが、図１１のパイロットパターンは、図２乃至図９で例示した方式と同様の方式で多重アンテナにも適用されることができる。
【０１５５】
具体的に、パイロットＲＥの位置は、ｓ＝１の時、ｓｕｂｃａｒｒｉｅｒ＿ｉｎｄｅｘ＝０であり、ｓ＝３の時、ｓｕｂｃａｒｒｉｅｒ＿ｉｎｄｅｘ＝３であり、ｓ＝５の時、ｓｕｂｃａｒｒｉｅｒ＿ｉｎｄｅｘ＝０であり、ｓ＝７の時、ｓｕｂｃａｒｒｉｅｒ＿ｉｎｄｅｘ＝３である。他の例として、パイロットＲＥの位置は、ｓ＝１の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３であり、ｓ＝７の時、ｓｕｂｃａｒｒｉｅｒ＿ｉｎｄｅｘ＝０である。このパイロットＲＥの位置は、時間軸または周波数軸に沿って循環遷移することができる。このパイロットパターンを、下記の表に整理した。
【０１５６】
【表５０】
2011511527.tif 000056
【０１５７】
【表５１】
2011511527.tif 000057
上記の表で、“Ｐ”は、パイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１５８】
図１２は、本発明のさらに他の実施例によって基本ユニットが４副搬送波×９  ＯＦＤＭ（Ａ）シンボルで構成された場合に、１Ｔｘまたは１ストリームパイロットを割り当てる例を示す。パイロットＲＥを時間軸で２  ＯＦＤＭ（Ａ）シンボル間隔で配置することによって、低速よりは高速の場合においてよりロバストとなるように設計された。また、周波数軸上の全位置にパイロットが配置されることによって、チャンネルディレイスプレッドに対してよりロバストとなるように設計された。パイロットオーバーヘッドは１１．１１％である。この４×９基本ユニットは、周波数領域または時間領域で連続して割り当てられることができる。図１２は、単一アンテナに対するパイロットについて例示したが、図１２のパイロットパターンは、図２乃至図９で例示した方式と同様の方式で多重アンテナにも適用されることができる。
【０１５９】
具体的に、パイロットＲＥの位置は、ｓ＝１の時、ｓｕｂｃａｒｒｉｅｒ＿ｉｎｄｅｘ＝１であり、ｓ＝３の時、ｓｕｂｃａｒｒｉｅｒ＿ｉｎｄｅｘ＝３であり、ｓ＝５の時、ｓｕｂｃａｒｒｉｅｒ＿ｉｎｄｅｘ＝０であり、ｓ＝７の時、ｓｕｂｃａｒｒｉｅｒ＿ｉｎｄｅｘ＝２である。他の例として、パイロットＲＥの位置は、ｓ＝１の時、ｓｕｂｃａｒｒｉｅｒ＿ｉｎｄｅｘ＝２であり、ｓ＝３の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３であり、ｓ＝７の時、ｓｕｂｃａｒｒｉｅｒ＿ｉｎｄｅｘ＝１である。このパイロットＲＥの位置は、時間軸または周波数軸に沿って循環遷移することができる。このパイロットパターンを、下記の表に整理した。
【０１６０】
【表５２】
2011511527.tif 000058
【０１６１】
【表５３】
2011511527.tif 000059
上記の表で、“Ｐ”は、パイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１６２】
図１３は、本発明のさらに他の実施例によって基本ユニットが４副搬送波×９  ＯＦＤＭ（Ａ）シンボルで構成された場合に、１Ｔｘまたは１ストリームパイロットを割り当てる例を示す。パイロットＲＥを時間軸で２  ＯＦＤＭ（Ａ）シンボル間隔で配置することによって、低速よりは高速である場合においてよりロバストとなるように設計された。また、周波数軸上の全位置にパイロットが配置されることによって、チャンネルディレイスプレッドに対してよりロバストとなるように設計された。パイロットオーバーヘッドは、１１．１１％である。この４×９基本ユニットは、周波数領域または時間領域で連続して割り当てられることができる。図１３は、単一アンテナに対するパイロットについて例示したが、図１３のパイロットパターンは、図２乃至図９で例示した方式と同様の方式で多重アンテナにも適用されることができる。
【０１６３】
具体的に、パイロットＲＥの位置は、ｓ＝０の時、ｓｕｂｃａｒｒｉｅｒ＿ｉｎｄｅｘ＝０であり、ｓ＝３の時、ｓｕｂｃａｒｒｉｅｒ＿ｉｎｄｅｘ＝３であり、ｓ＝５の時、ｓｕｂｃａｒｒｉｅｒ＿ｉｎｄｅｘ＝０であり、ｓ＝８の時、ｓｕｂｃａｒｒｉｅｒ＿ｉｎｄｅｘ＝３である。他の例として、パイロットＲＥの位置は、ｓ＝０の時、ｓｕｂｃａｒｒｉｅｒ＿ｉｎｄｅｘ＝３であり、ｓ＝３の時、ｓｕｂｃａｒｒｉｅｒ＿ｉｎｄｅｘ＝０であり、ｓ＝５の時、ｓｕｂｃａｒｒｉｅｒ＿ｉｎｄｅｘ＝３であり、ｓ＝８の時、ｓｕｂｃａｒｒｉｅｒ＿ｉｎｄｅｘ＝０である。このパイロットＲＥの位置は、時間軸または周波数軸に沿って循環遷移することができる。このパイロットパターンを、下記の表に整理した。
【０１６４】
【表５４】
2011511527.tif 000060
【０１６５】
【表５５】
2011511527.tif 000061
上記の表で、“Ｐ”は、パイロットＲＥを表し、“−”は、データＲＥを表し、“ｓ”は、当該基本ユニットユニットにおけるＯＦＤＭ（Ａ）シンボルインデックスを表し、“ＳＣ”は、当該基本ユニットユニットにおける副搬送波インデックスを表す。
【０１６６】
本発明によって例示された上記パイロット構造のチャンネル推定能力を測定するために、１ストリーム及び２ストリーム伝送に対して比較シミュレーションを行った。
【０１６７】
比較シミュレーションに用いたパイロット構造は、下記の通りである。
【０１６８】
【表５６】
2011511527.tif 000062
上記の表で、パイロットパターンに存在する数字“１”及び“２”はそれぞれ、第１ストリーム及び第２ストリームに対するパイロットＲＥを表し、それぞれ“Ｐ０”及び“Ｐ１”に対応する。パイロットパターン１−１及び１−２はそれぞれ、図８Ａ（表４０）及び図９Ａ（表４３）のパイロットパターンに対応する。パイロットパターン１−３は、図３Ａ（表７）のパイロットパターン二つが、時間領域で隣接して配置されたものに対応する。パイロットパターン２−１は、図８Ｂ（表４１）のパイロットパターンに対応する。パイロットパターン２−２及び２−３は、比較のために特定されたパイロットパターンである。
【０１６９】
シミュレーションパラメータは次の通りである：
−  Ｒｅｃｅｉｖｅｒ：  ２  Ｒｘ  ＭＭＳＥ  ｒｅｃｅｉｖｅｒ
−  Ｃｈａｎｎｅｌ  Ｍｏｄｅｌ：  ｅＩＴＵ  ＰｅｄＢ３ｋｍ／ｈ，  ＶｅｈＡ１２０ｋｍ／ｈ，  ＶｅｈＡ３５０ｋｍ／ｈ  Ｃｈａｎｎｅｌ  
−  Ｔｘ  ａｎｔｅｎｎａ  ｓｐａｃｉｎｇ：  ４  ｌａｍｂｄａ
−  Ｒｘ  ａｎｔｅｎｎａ  ｓｐａｃｉｎｇ：  ０．５  ｌａｍｂｄａ
−  Ｐｉｌｏｔ  ｂｏｏｓｔｉｎｇ：  ３ｄＢ
−  Ｎｏｉｓｅ−ｌｉｍｉｔｅｄ
【０１７０】
図１４Ａ乃至図１４Ｃには、１ストリーム伝送時におけるチャンネル推定に対するシミュレーション結果を示す。
【０１７１】
ＰｅｄＢ（Ｐｅｄｅｓｔｒｉａｎ  Ｂ）  ３ｋｍ／ｈの場合、３種類のパイロットパターン１−１、１−２及び１−３はいずれも類似のリンクスループット性能（ｌｉｎｋ  ｔｈｒｏｕｇｈｐｕｔ  ｐｅｒｆｏｒｍａｎｃｅ）を示した。相対的なスループット損失性能（ｒｅｌａｔｉｖｅ  ｔｈｒｏｕｇｈｐｕｔ  ｌｏｓｓ  ｐｅｒｆｏｒｍａｎｃｅ）においては、パイロットパターン１−２の性能劣化が最も小さかった（図１４Ａ）。
【０１７２】
ＶｅｈＡ（Ｖｅｈｉｃｕｌａｒ  Ａ）  １２０ｋｍ／ｈの場合、３種類のパイロットパターン１−１、１−２及び１−３はいずれも類似のリンクスループット性能を示した。相対的なスループット損失性能においては、パイロットパターン１−２が、他のパイロットパターンに比べて明確に優れていた（図１４Ｂ）。
【０１７３】
ＶｅｈＡ  ３５０ｋｍ／ｈの場合、リンクスループット性能及び相対的なスループット損失性能の両方において、パイロットパターン１−２が、他のパイロットパターンに比べて明確に優れていた（図１４Ｃ）。
【０１７４】
図１５Ａ乃至図１５Ｃには、２ストリーム伝送時におけるチャンネル推定に対するシミュレーション結果を示す。
【０１７５】
ＰｅｄＢ  ３ｋｍ／ｈ、ＶｅｈＡ  １２０ｋｍ／ｈ及びＶｅｈＡ  ３５０ｋｍ／ｈの場合、リンクスループット性能及び相対的なスループット損失性能の両方において、パイロットパターン２−１が、他のパイロットパターンに比べて明確に優れていた（図１５Ａ乃至図１５Ｃ）。
【０１７６】
図１６は、本発明の一実施例に適用されうる基地局のブロック図である。
【０１７７】
図１６を参照すると、基地局は、一般的に、制御システム１６０２、基底帯域プロセッサ１６０４、伝送回路１６０６、受信回路１６０８、多重アンテナ１６１０及びネットワークインターフェース１６１２を含む。受信回路１６０８は、端末から伝送された無線信号を、多重アンテナ１６１０を通じて受信する。好ましくは、低雑音増幅器及びフィルター（図示せず）が信号を増幅して広帯域干渉を除去する。下方変換（ｄｏｗｎ  ｃｏｎｖｅｒｓｉｏｎ）及びデジタル化回路（図示せず）は、フィルタリングされた受信信号を中間または基底帯域周波数信号に下方変換し、これを一つ以上のデジタルストリームにデジタル化させる。
【０１７８】
基底帯域プロセッサ１６０４は、デジタル化した受信信号を処理して、受信信号から情報またはデータビットを抽出する。この処理は、復調、デコーディング、エラー訂正などを含む。基底帯域プロセッサ１６０４は、一般的に、一つ以上のデジタル信号処理器（ＤＳＰ）で具現される。その後、受信情報は、ネットワークインターフェースを経由して無線ネットワークを通じて伝送されたり、基地局がサービスする他の端末に伝送される。ネットワークインターフェース１６１２は、中央ネットワーク制御機及び公衆交換電話網（ＰＳＴＮ）に連結されうる無線ネットワークの一部を形成する回線交換網と相互作用する。
【０１７９】
伝送側において、基底帯域プロセッサ１６０４は、音声、データまたは制御情報を表しうるデジタル化したデータを、制御システム１６０２の統制下に、ネットワークインターフェース１６１２から受信して伝送のためにデータをエンコーディングする。エンコーディングされたデータは、伝送回路１６０６に入力される。伝送回路１６０６で、エンコーディングされたデータは希望伝送周波数または周波数を有する搬送波により変調される。電力増幅器（図示せず）は、変調された搬送波信号を伝送に適切なレベルに増幅する。増幅された信号は、多重アンテナ１６１０に伝達される。
【０１８０】
図１７は、本発明の一実施例に適用されうる端末のブロック図である。
【０１８１】
図１７を参照すると、端末は、制御システム１７０２、基底帯域プロセッサ１７０４、伝送回路１７０６、受信回路１７０８、多重アンテナ１７１０及びユーザインターフェース回路１７１２を含むことができる。受信回路１７０８は、情報を含む無線信号を一つ以上の基地局から多重アンテナ１７１０を通じて受信する。好ましくは、低雑音増幅器及びフィルター（図示せず）が信号を増幅して広帯域干渉を除去する。その後、下方変換及びデジタル化回路（図示せず）は、中間または基底帯域周波数信号にフィルタリングされた受信信号を下方変換する。その後、この信号は、一つ以上のデジタルストリームにデジタル化する。基底帯域プロセッサ１７０４は、受信信号から情報またはデータビットを抽出するために、デジタル化した受信信号を処理する。この処理は、復調、デコーディング、エラー訂正動作を含む。基底帯域プロセッサ１７０４は、一般的に、一つ以上のデジタル信号処理器（ＤＳＰ）及び注文型集積回路（ＡＳＩＣ）で具現される。
【０１８２】
伝送側において、基底帯域プロセッサ１７０４は、音声、データまたは制御情報を表しうるデジタル化したデータを、制御システム１７０２の統制下に、ユーザインターフェース１６１２から受信し、このデータを伝送のためにエンコーディングする。エンコーディングされたデータは、伝送回路１７０６に入力される。伝送回路１７０６で、エンコーディングされたデータは、希望伝送周波数または周波数を有する搬送波により変調される。電力増幅器（図示せず）は、変調された搬送波信号を伝送に適切なレベルに増幅する。増幅された信号は、多重アンテナ１７１０に伝達される。
【０１８３】
図１８は、本発明の一実施例に適用されうる送信機のブロック図である。
【０１８４】
図１８を参照すると、送信機構造が基地局を基準に説明されるが、当業者には、アップリンク及びダウンリンク伝送のために図示の構造を使用できるということがわかる。また、伝送構造は、特に限定されないが、コード分割多重接続（ＣＤＭＡ）、周波数分割多重接続（ＦＤＭＡ）、時間分割多重接続（ＴＤＭＡ）、直交周波数分割多重化（ＯＦＤＭ）を含む様々な多重接続構造を表すように意図された。
【０１８５】
初期に、ネットワークは、端末に伝送するデータを、基地局に伝送する。ビットストリームであるスケジューリングされたデータは、データスクランブルモジュール１８０４を用いて、データと関連したピーク対平均電力比を減少させる方式でスクランブルされる。スクランブルされたデータに対するＣＲＣ（Ｃｙｃｌｉｃ  Ｒｅｄｕｎｄａｎｃｙ  Ｃｈｅｃｋ）をＣＲＣ付加モジュール１８０６で決定して、スクランブルされたデータに付加する。端末でデータの復旧及びエラー訂正を容易にするために、チャンネルエンコーダモジュール１８０８を用いてチャンネルコーディングを行う。チャンネルコーディングによりデータに效果的にリダンダンシを付加することができる。チャンネルエンコーダモジュール１８０８は、ターボエンコーディング技術を用いることができる。
【０１８６】
処理されたデータビットは、選択された基底帯域変調に依存してマッピングモジュール１８１４により該当のシンボルに体系的にマッピングされる。直交振幅変調（ＱＡＭ）または直交位相シフトキー（ＱＰＳＫ）変調形態が用いられることができる。ビットグループは、振幅及び位相コンステレーションでの位置を表すシンボルにマッピングされる。その後、シンボルブロックは、空間時間コード（ＳＴＣ）エンコーダモジュール１８１８により処理される。ＳＴＣエンコーダモジュール１８１８は、選択されたＳＴＣエンコーディングモードによってシンボルを処理し、基地局の多重送信アンテナ１６１０の数に該当するＮ個の出力を提供する。ＳＴＣエンコーダモジュール１８１８から出力されたシンボルストリームは、ＩＦＦＴ処理モジュール１８２０により逆フーリエ変換される。その後、プレフィックス（ｐｒｅｆｉｘ）及びＲＳ付加モジュール１８２２は、逆フーリエ変換された信号にＣＰ（ｃｙｃｌｉｃ  ｐｒｅｆｉｘ）及びＲＳを付加する。ＲＳは、ＩＦＦＴが行われた後に付加されるものと例示されているが、ＲＳは、ＩＦＦＴの前に付加されることもできる。この場合は、別のＲＳ付加モジュールがＩＦＦＴ処理モジュール１８２０の前にさらに設けられることができる。その後、デジタルアップ変換（ＤＵＣ）モジュール及びデジタル対アナログ（Ｄ／Ａ）変換モジュール１８２４は、該処理された信号を中間周波数にデジタル領域でアップコンバートし、この信号をアナログ信号に変換する。その後、このアナログ信号は、ＲＦモジュール１８２６及び多重アンテナ１６１０を通じて希望ＲＦ周波数で同時に変調、増幅及び伝送される。
【０１８７】
図１９は、本発明の一実施例に適用されうる受信機のブロック図である。
【０１８８】
図１９を参照すると、受信機構造は、端末を基準に説明されたが、当業者には、アップリンク及びダウンリンク伝送のために図示の構造を使用できることがわかる。伝送信号が多重送信アンテナ１７１０から受信されると、それぞれの信号は該当のＲＦモジュール１９０２により復調及び増幅される。便宜上、受信機にある多重受信経路のうち、一つの経路のみを示した。アナログ対デジタル（Ａ／Ｄ）変換及び下方変換モジュール（ＤＣＣ）１９０４は、デジタル処理のためにアナログ信号をデジタル化し、ダウンコンバートする。デジタル化した信号は、受信信号レベルに基づいてＲＦモジュール１９０２で増幅器利得を制御するために自動利得制御モジュール（ＡＧＣ）１９０６に用いられることができる。
【０１８９】
また、デジタル化した信号は、同期化モジュール１９０８に供給される。同期化モジュール１９０８は、粗同期を行う“Ｃｏａｒｓｅ  Ｓｙｎｃ．”モジュール１９１０、微同期を行う“Ｆｉｎｅ  Ｓｙｎｃ．”モジュール１９１２、及び周波数オフセットやドップラー効果を推定するモジュール１９２０を含むことができる。同期化モジュール１９０８から出力された結果は、フレーム整列モジュール１９１４、周波数オフセット／ドップラー補正モジュール１９１８に供給される。整列されたフレームは、プレフィックス除去モジュール１９１６によりＣＰが除去される。その後、ＣＰの除去されたデータは、ＦＦＴモジュール１９２２によりフーリエ変換される。ＲＳ抽出モジュール１９３０は、フレーム内に分散されているＲＳ信号を抽出してチャンネル推定モジュール１９２８に供給する。その後、チャンネル再構成モジュール１９２６は、チャンネル推定結果を用いて無線チャンネルを再構成する。チャンネル推定は、基地局が使用するＳＴＣエンコーディングによってＳＴＣデコーダ１９３２がシンボルをデコーディングし、伝送ビットに該当する推定を復旧できる充分なチャンネル応答情報を提供する。受信した信号から得たシンボル及び各受信経路に対するチャンネル推定結果は、ＳＴＣデコーダ１９３２に提供され、伝送されたシンボルを復旧するために、各受信経路にＳＴＣデコーディングを行う。ＳＴＣデコーダ１９３２は、ＢＬＡＳＴベース伝送のための最尤復号（ＭＬＤ）を具現できる。ＳＴＣデコーダ１９３２の出力は、伝送ビットのそれぞれのための対数尤度比（ＬＬＲ）でありうる。ＳＴＣデコーディングされたシンボルは、シンボルデインターリーバモジュール１９３４を通じて本来の順序のシンボルに整列される。その後、デマッピングモジュール１９３６は、シンボルをビットストリームにデマッピングし、ビットデインターリーバモジュール１９３８は、このビットストリームをデインターリービングする。レートデマッチングモジュール１９４０により処理されたビットストリームは、スクランブルされたデータ及びＣＲＣチェックサムを復旧するためにチャンネルデコーダモジュール１９４２に提供される。チャンネルデコーダモジュール１９４２は、ターボデコーディングを用いることができる。ＣＲＣモジュール１９４４は、従来の方式でＣＲＣチェックサムを除去し、スクランブルされたデータをチェックする。その後、ＣＲＣチェックされたデータは、逆スクランブリングモジュール１９４６により本来のデータ１９４８に復旧される。
【０１９０】
以上で説明された実施例は、本発明の構成要素及び特徴が所定形態に結合されたものである。各構成要素または特徴は、別の明示的な言及がない限り、選択的なものとして考慮されなければならない。各構成要素または特徴は、他の構成要素や特徴と結合しない形態で実施されることもできる。また、一部構成要素及び／または特徴を結合して本発明の実施例を構成することも可能である。本発明の実施例で説明される動作の順序は変更可能である。ある実施例の一部構成や特徴は、他の実施例に含まれることができ、または、他の実施例の対応する構成または特徴に代替可能である。特許請求の範囲において明示的な引用関係を有しない請求項を結合して実施例を構成することもでき、出願後の補正によって新しい請求項として含ませることもできることは自明である。
【０１９１】
本文書で、本発明の実施例は、基地局と端末機とのデータ送受信関係を中心に説明された。本文書で基地局によって行われると説明された特定動作は、場合によっては、基地局の上位ノード（ｕｐｐｅｒ  ｎｏｄｅ）によって行われることもできる。すなわち、基地局を含む複数のネットワークノード（ｎｅｔｗｏｒｋ  ｎｏｄｅｓ）からなるネットワークにおいて端末機との通信のために行われる様々な動作は、基地局または基地局以外の他のネットワークノードによって行われることもできることは自明である。‘基地局’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語にすることもできる。また、‘移動局（Ｍｏｂｉｌｅ  Ｓｔａｔｉｏｎ：  ＭＳ）’は、端末、ＵＥ（Ｕｓｅｒ  Ｅｑｕｉｐｍｅｎｔ）、ＭＳＳ（Ｍｏｂｉｌｅ  Ｓｕｂｓｃｒｉｂｅｒ  Ｓｔａｔｉｏｎ）、Ｔｅｒｍｉｎａｌなどの用語にすることもできる。
【０１９２】
本発明による実施例は、様々な手段、例えば、ハードウェア、ファームウェア（ｆｉｒｍｗａｒｅ）、ソフトウェアまたはそれらの結合などによって具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現されることができる。
【０１９３】
ファームウェアやソフトウェアによる具現の場合、本発明の一実施例は、以上で説明された機能または動作を行うモジュール、手続き、関数などの形態で具現することができる。ソフトウェアコードは、メモリユニットに記憶されて、プロセッサによって駆動されることができる。メモリユニットは、プロセッサの内部または外部に設けられて、公知の様々な手段によってプロセッサとデータを交換することができる。
【０１９４】
本発明は、本発明の特徴を逸脱しない範囲で、他の特定の形態に具体化できることは、当業者にとっては明らかである。よって、上記の詳細な説明は、いずれの面においても制限的に解釈してはならず、例示的なものとして考慮しなければならない。本発明の範囲は、添付した請求項の合理的解釈によって定められるべきであり、本発明の等価的範囲内におけるあらゆる変更は、本発明の範囲に含まれる。
【産業上の利用可能性】
【０１９５】
本発明は、アップリンクでのパイロットオーバーヘッドを下げ、優れたチャンネル推定を保障できる基本ユニット及びパイロット構造に関するもので、ＯＦＤＭ（Ａ）システムのパイロットオーバーヘッドを減らすことによってシステム性能を向上させることができ、時間／周波数間隔を一定間隔に維持してチャンネル推定の性能を保障することができ、ＩＥＥＥ  ８０２．１６ｍ及びこれと互換性を有する基地局、端末などの装置に適用されることができる。
【図１】
2011511527.tif 000064
【図２Ａ】
2011511527.tif 000065
【図２Ｂ】
2011511527.tif 000066
【図２Ｃ】
2011511527.tif 000067
【図３Ａ】
2011511527.tif 000068
【図３Ｂ】
2011511527.tif 000069
【図３Ｃ】
2011511527.tif 000070
【図４Ａ】
2011511527.tif 000071
【図４Ｂ】
2011511527.tif 000072
【図４Ｃ】
2011511527.tif 000073
【図５Ａ】
2011511527.tif 000074
【図５Ｂ】
2011511527.tif 000075
【図５Ｃ】
2011511527.tif 000076
【図６Ａ】
2011511527.tif 000077
【図６Ｂ】
2011511527.tif 000078
【図６Ｃ】
2011511527.tif 000079
【図７Ａ】
2011511527.tif 000080
【図７Ｂ】
2011511527.tif 000081
【図７Ｃ】
2011511527.tif 000082
【図８Ａ】
2011511527.tif 000083
【図８Ｂ】
2011511527.tif 000084
【図８Ｃ】
2011511527.tif 000085
【図９Ａ】
2011511527.tif 000086
【図９Ｂ】
2011511527.tif 000087
【図９Ｃ】
2011511527.tif 000088
【図１０】
2011511527.tif 000089
【図１１】
2011511527.tif 000090
【図１２】
2011511527.tif 000091
【図１３】
2011511527.tif 000092
【図１４Ａ】
2011511527.tif 000093
【図１４Ｂ】
2011511527.tif 000094
【図１４Ｃ】
2011511527.tif 000095
【図１５Ａ】
2011511527.tif 000096
【図１５Ｂ】
2011511527.tif 000097
【図１５Ｃ】
2011511527.tif 000098
【図１６】
2011511527.tif 000099
【図１７】
2011511527.tif 000100
【図１８】
2011511527.tif 000101
【図１９】
2011511527.tif 000102
【手続補正書】
【提出日】平成22年7月22日(2010.7.22)
【手続補正１】
【補正対象書類名】明細書
【補正対象項目名】００４８
【補正方法】変更
【補正の内容】
【００４８】
上記の本発明の様々な様相において、各段階の時間的順序は具現の問題である。したがって、特別に言及しない限り、本発明で例示した各段階は、製造業者によって様々な順序とすることができる。
（項目１）
直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；  ＯＦＤＭＡ）無線通信システムにおいて移動局（ｍｏｂｉｌｅ  ｓｔａｔｉｏｎ；  ＭＳ）が基本ユニットをアップリンク伝送する方法であって、
複数のパイロットリソース要素及びデータリソース要素（ｒｅｓｏｕｒｃｅ  ｅｌｅｍｅｎｔ；  ＲＥ）を含み、大きさが４副搬送波×６  ＯＦＤＭＡシンボルである基本ユニットを形成する段階と、
周波数軸上における間隔が３副搬送波及び時間軸上における間隔が１または４  ＯＦＤＭＡシンボルとなるように、単一アンテナに対するパイロットＲＥを前記基本ユニット内に設定する段階と、
前記基本ユニットをアップリンクで伝送する段階と、
を含み、
前記ＲＥは、一つのＯＦＤＭＡシンボル及び一つの副搬送波により定義される時間−周波数リソースであり、
前記基本ユニットにはパイロットＲＥ及びデータＲＥが下記のパターンテーブル１のように設定される、アップリンク伝送方法：
【数１−１】
2011511527.tif 000103
ここで、“Ｐ”は、パイロットＲＥを表し、“−”は、データＲＥを表し、“ｓ”は、ＯＦＤＭＡシンボルインデックスを表し、“ＳＣ”は、副搬送波インデックスを表す。
（項目２）
前記基本ユニットは、アップリンクタイル（ｕｐｌｉｎｋ  ｔｉｌｅ）であることを特徴とする、項目１に記載のアップリンク伝送方法。
（項目３）
前記基本ユニットは、アップリンクＰＵＳＣ（ｐａｒｔｉａｌ  ｕｓａｇｅ  ｏｆ  ｓｕｂｃｈａｎｎｅｌ）タイルであることを特徴とする、項目１に記載のアップリンク伝送方法。
（項目４）
所定個数の前記基本ユニットが、より大きいリソースユニットを形成することを特徴とする、項目１に記載のアップリンク伝送方法。
（項目５）
前記より大きいリソースユニットを形成する前記基本ユニットは、周波数領域で隣接していることを特徴とする、項目４に記載のアップリンク伝送方法。
（項目６）
前記より大きいリソースユニットを形成する前記基本ユニットは、周波数領域で分散されていることを特徴とする、項目４に記載のアップリンク伝送方法。
（項目７）
パイロットＲＥの位置は、周波数領域または時間領域で循環遷移（ｃｙｃｌｉｃａｌｌｙ  ｓｈｉｆｔｅｄ）されることを特徴とする、項目１に記載のアップリンク伝送方法。
（項目８）
前記パイロットＲＥの電力は、同一のＯＦＤＭＡシンボル内にあるデータＲＥの電力を用いてブースティングされることを特徴とする、項目１に記載のアップリンク伝送方法。
（項目９）
パイロットシンボル及びデータシンボルを、該当するパイロットＲＥ及びデータＲＥにそれぞれマッピングする段階をさらに含むことを特徴とする、項目１に記載のアップリンク伝送方法。
（項目１０）
前記パイロットＲＥは、専用パイロットのために用いられることを特徴とする、項目１に記載のアップリンク伝送方法。
【手続補正２】
【補正対象書類名】特許請求の範囲
【補正対象項目名】全文
【補正方法】変更
【補正の内容】
【特許請求の範囲】
【請求項１】
直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；  ＯＦＤＭＡ）無線通信システムにおいて移動局（ｍｏｂｉｌｅ  ｓｔａｔｉｏｎ；  ＭＳ）が基本ユニットをアップリンク伝送する方法であって、
複数のパイロットリソース要素及びデータリソース要素（ｒｅｓｏｕｒｃｅ  ｅｌｅｍｅｎｔ；  ＲＥ）を含み、大きさが４副搬送波×６  ＯＦＤＭＡシンボルである基本ユニットを形成する段階と、
周波数軸上における間隔が３副搬送波及び時間軸上における間隔が１または４  ＯＦＤＭＡシンボルとなるように、単一ストリームに対するパイロットＲＥを前記基本ユニット内に設定する段階と、
前記基本ユニットをアップリンクで伝送する段階と、
を含み、
前記ＲＥは、一つのＯＦＤＭＡシンボル及び一つの副搬送波により定義される時間−周波数リソースであり、
前記基本ユニットにはパイロットＲＥ及びデータＲＥが下記のパターンテーブル１のように設定される、アップリンク伝送方法：
【数１−２】
2011511527.tif 000104
ここで、“Ｐ”は、パイロットＲＥを表し、“−”は、データＲＥを表し、“ｓ”は、ＯＦＤＭＡシンボルインデックスを表し、“ＳＣ”は、副搬送波インデックスを表す。
【請求項２】
前記基本ユニットは、アップリンクタイル（ｕｐｌｉｎｋ  ｔｉｌｅ）である、請求項１に記載のアップリンク伝送方法。
【請求項３】
前記基本ユニットは、アップリンクＰＵＳＣ（ｐａｒｔｉａｌ  ｕｓａｇｅ  ｏｆ  ｓｕｂｃｈａｎｎｅｌ）タイルである、請求項１に記載のアップリンク伝送方法。
【請求項４】
所定個数の前記基本ユニットが、より大きいリソースユニットを形成する、請求項１に記載のアップリンク伝送方法。
【請求項５】
前記より大きいリソースユニットを形成する前記基本ユニットは、周波数領域で隣接している、請求項４に記載のアップリンク伝送方法。
【請求項６】
前記より大きいリソースユニットを形成する前記基本ユニットは、周波数領域で分散されている、請求項４に記載のアップリンク伝送方法。
【請求項７】
パイロットＲＥの位置は、周波数領域または時間領域で循環遷移（ｃｙｃｌｉｃａｌｌｙ  ｓｈｉｆｔｅｄ）される、請求項１に記載のアップリンク伝送方法。
【請求項８】
前記パイロットＲＥの電力は、同一のＯＦＤＭＡシンボル内にあるデータＲＥの電力を用いてブースティングされる、請求項１に記載のアップリンク伝送方法。
【請求項９】
パイロットシンボル及びデータシンボルを、該当するパイロットＲＥ及びデータＲＥにそれぞれマッピングする段階をさらに含む、請求項１に記載のアップリンク伝送方法。
【請求項１０】
前記パイロットＲＥは、専用パイロットのために用いられる、請求項１に記載のアップリンク伝送方法。
【請求項１１】
直交周波数分割多重接続（ＯＦＤＭＡ）無線通信システムにおいて基本ユニットをアップリンク伝送するように構成された移動局（ＭＳ）であって、
デジタル信号を処理する基底帯域プロセッサと、
前記基底帯域プロセッサから基底帯域信号を受信し、無線信号を一つ以上のアンテナを介して前記アップリンク伝送する伝送回路と
を含み、
前記基底帯域プロセッサは、大きさが４副搬送波×６  ＯＦＤＭＡシンボルである前記基本ユニットを形成し、前記基本ユニットは、複数のパイロット及びデータリソース要素（ＲＥ）を含み、
前記基底帯域プロセッサは、周波数軸上における間隔が３副搬送波及び時間軸上における間隔が１または４  ＯＦＤＭＡシンボルとなるように、単一ストリームに対する前記パイロットＲＥを前記基本ユニット内に設定し、
前記ＲＥは、一つのＯＦＤＭＡシンボル及び一つの副搬送波により定義される時間−周波数リソースであり、
前記基本ユニットには、前記パイロット及びデータＲＥが下記のパターンテーブル１のように設定され、
【数１−３】
2011511527.tif 000105
ここで、“Ｐ”は、パイロットＲＥを表し、“−”は、データＲＥを表し、“ｓ”は、ＯＦＤＭＡシンボルインデックスを表し、“ＳＣ”は、副搬送波インデックスを表す、移動局（ＭＳ）。
【請求項１２】
前記基本ユニットは、アップリンクＰＵＳＣ（ｐａｒｔｉａｌ  ｕｓａｇｅ  ｏｆ  ｓｕｂｃｈａｎｎｅｌ）タイルである、請求項１１に記載のＭＳ。
【請求項１３】
所定個数の前記基本ユニットが、より大きいリソースユニットを形成する、請求項１１に記載のＭＳ。
【請求項１４】
前記より大きいリソースユニットを形成する前記基本ユニットは、前記周波数領域で隣接しているか、または分散されている、請求項１３に記載のＭＳ。
【請求項１５】
前記パイロットＲＥの位置は、前記周波数領域または前記時間領域で循環遷移（ｃｙｃｌｉｃａｌｌｙ  ｓｈｉｆｔｅｄ）される、請求項１１に記載のＭＳ。
【国際調査報告】
2011511527.tif 000106
2011511527.tif 000107